(57)【要約】  ページング・メッセージをモニタリングする方法、指示情報を送信する方法、デバイス、及びシステムが提供され、通信技術の分野に関連する。方法は、ネットワーク・デバイスにより送信されたページング・オケージョン設定情報を端末デバイスにより受信するステップと、ネットワーク・デバイスにより送信されたページング・メッセージを、Ｎ個の時間ドメイン・リソースに基づいてモニタリングするステップとを含む。ページング・オケージョン設定情報はページング・オケージョンにおけるＮ個の時間ドメイン・リソースを示し、Ｎは１以上の正の整数である。この技術的ソリューションにおいて、ネットワーク・デバイスは、ページング・オケージョン内にあり且つページング・メッセージをモニタリングするために使用される時間ドメイン・リソースを、端末デバイスに指示することができる。これはページング・メッセージ・モニタリング機構の柔軟性を改善することに役立つ。
2021518719.tif 000002
【特許請求の範囲】
【請求項１】
ページング・メッセージをモニタリングする方法であって：
ネットワーク・デバイスにより送信されたページング・オケージョン設定情報を端末デバイスにより受信するステップであって、前記ページング・オケージョン設定情報はページング・オケージョンにおけるＮ個の時間ドメイン・リソースを示し、Ｎは１以上の正の整数である、ステップ；及び
前記ネットワーク・デバイスにより送信されたページング・メッセージを、前記Ｎ個の時間ドメイン・リソースに基づいて、前記端末デバイスによりモニタリングするステップ；
を含む方法。
【請求項２】
前記ページング・オケージョン設定情報は、以下の情報：
前記時間ドメイン・リソースの量；
時間ドメイン・リソース各々の持続時間；
２つの隣接する時間ドメイン・リソースごとの間のインターバルの持続時間；及び
時間ドメイン位置オフセット情報であって、前記時間ドメイン位置オフセット情報は第２時間ドメイン位置に対する第１時間ドメイン位置のオフセットを示し、前記第１時間ドメイン位置は時間シーケンスで最初にランクしている時間ドメイン・リソースの開始位置であり、前記第２時間ドメイン位置は同期信号ブロックにおける任意の時間ドメイン位置である、或いは前記第２時間ドメイン位置はページング・フレームの開始時間ドメイン位置である、時間ドメイン位置オフセット情報；
のうちの少なくとも１つを含む、請求項１に記載の方法。
【請求項３】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項１又は２に記載の方法。
【請求項４】
前記方法は更に：
前記ネットワーク・デバイスとの通信に使用されるビームの量Ｍを前記端末デバイスにより決定するステップであって、Ｍは１以上の正の整数である、ステップ；及び
前記端末デバイスにより前記Ｎ個の時間ドメイン・リソースをＭ個の時間ユニットに分割するステップであって、前記Ｍ個のビームの各々は前記Ｍ個の時間ユニットの１つに対応し、前記Ｍ個のビームは異なる時間ユニットに対応する、ステップ；
を含み、前記ネットワーク・デバイスにより送信されたページング・メッセージを、前記Ｎ個の時間ドメイン・リソースに基づいて、前記端末デバイスによりモニタリングする前記ステップは：
前記ネットワーク・デバイスにより送信された前記ページング・メッセージを、前記Ｍ個のビームにおける少なくとも１つのビームの各々に対応する時間ユニットで、前記端末デバイスによりモニタリングするステップ；
を含む、請求項１〜３のうちの何れか１項に記載の方法。
【請求項５】
前記ネットワーク・デバイスとの通信に使用されるビームの量Ｍを前記端末デバイスにより決定する前記ステップは：
前記ネットワーク・デバイスとの通信に使用されるビームの前記量Ｍを、同期信号ブロックを前記端末デバイスに送信するための前記ネットワーク・デバイスによる実際のビームの量に基づいて、前記端末デバイスにより決定するステップ；
を含む、請求項４に記載の方法。
【請求項６】
前記方法は更に：
前記ネットワーク・デバイスにより送信されたビーム設定情報を前記端末デバイスにより受信するステップであって、前記ビーム設定情報は前記ネットワーク・デバイスとの通信に使用されるビームの前記量を示す、或いは前記ビーム設定情報はビームにおいて前記ページング・メッセージをモニタリングする持続時間を示す、ステップ；
を含み、前記ネットワーク・デバイスとの通信に使用されるビームの量Ｍを前記端末デバイスにより決定する前記ステップは：
前記ネットワーク・デバイスとの通信に使用されるビームの前記量Ｍを、前記ビーム設定情報に基づいて前記端末デバイスにより決定するステップ；
を含む、請求項４に記載の方法。
【請求項７】
前記方法は更に：
前記Ｍ個のビームの各々に対応する信号受信品質に基づいて、前記Ｍ個のビームにおける前記少なくとも１つのビームを前記端末デバイスにより決定するステップ；
を含む、請求項４〜６のうちの何れか１項に記載の方法。
【請求項８】
指示情報を送信する方法であって：
ページング・オケージョン設定情報をネットワーク・デバイスにより生成するステップであって、前記ページング・オケージョン設定情報はページング・オケージョンにおけるＮ個の時間ドメイン・リソースを示し、Ｎは１以上の正の整数である、ステップ；及び
前記ネットワーク・デバイスにより、前記ページング・オケージョン設定情報を端末デバイスに送信するステップであって、前記ページング・オケージョン設定情報は前記Ｎ個の時間ドメイン・リソースを示す、ステップ；
を含む方法。
【請求項９】
前記ページング・オケージョン設定情報は、以下の情報：
前記時間ドメイン・リソースの量；
時間ドメイン・リソース各々の持続時間；
２つの隣接する時間ドメイン・リソースごとの間のインターバルの持続時間；及び
時間ドメイン位置オフセット情報であって、前記時間ドメイン位置オフセット情報は第２時間ドメイン位置に対する第１時間ドメイン位置のオフセットを示し、前記第１時間ドメイン位置は時間シーケンスで最初にランクしている時間ドメイン・リソースの開始位置であり、前記第２時間ドメイン位置は同期信号ブロックにおける任意の時間ドメイン位置である、或いは前記第２時間ドメイン位置はページング・フレームの開始時間ドメイン位置である、時間ドメイン位置オフセット情報；
のうちの少なくとも１つを含む、請求項８に記載の方法。
【請求項１０】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項８又は９に記載の方法。
【請求項１１】
前記方法は更に：
ビーム設定情報を前記端末デバイスへ前記ネットワーク・デバイスにより送信するステップであって、前記ビーム設定情報は前記ネットワーク・デバイスとの通信に使用されるビームの量を示す、或いは前記ビーム設定情報はビームにおいてページング・メッセージをモニタリングする持続時間を示す、ステップ；
を含む、請求項８〜１０のうちの何れか１項に記載の方法。
【請求項１２】
トランシーバ・ユニットと処理ユニットとを含む通信装置であって：
前記トランシーバ・ユニットは、ネットワーク・デバイスにより送信されたページング・オケージョン設定情報を受信するように構成されており、前記ページング・オケージョン設定情報はページング・オケージョンにおけるＮ個の時間ドメイン・リソースを示し、Ｎは１以上の正の整数であり；及び
前記処理ユニットは、前記ネットワーク・デバイスにより送信されたページング・メッセージを前記Ｎ個の時間ドメイン・リソースに基づいてモニタリングするように構成されている、通信装置。
【請求項１３】
前記ページング・オケージョン設定情報は、以下の情報：
前記時間ドメイン・リソースの量；
時間ドメイン・リソース各々の持続時間；
２つの隣接する時間ドメイン・リソースごとの間のインターバルの持続時間；及び
時間ドメイン位置オフセット情報であって、前記時間ドメイン位置オフセット情報は第２時間ドメイン位置に対する第１時間ドメイン位置のオフセットを示し、前記第１時間ドメイン位置は時間シーケンスで最初にランクしている時間ドメイン・リソースの開始位置であり、前記第２時間ドメイン位置は同期信号ブロックにおける任意の時間ドメイン位置である、或いは前記第２時間ドメイン位置はページング・フレームの開始時間ドメイン位置である、時間ドメイン位置オフセット情報；
のうちの少なくとも１つを含む、請求項１２に記載の通信装置。
【請求項１４】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項１２又は１３に記載の通信装置。
【請求項１５】
前記処理ユニットは更に：
前記ネットワーク・デバイスとの通信に使用されるビームの量Ｍを決定し、前記Ｎ個の時間ドメイン・リソースをＭ個の時間ユニットに分割するように構成されており、Ｍは１以上の正の整数であり、前記Ｍ個のビームの各々は前記Ｍ個の時間ユニットの１つに対応し、前記Ｍ個のビームは異なる時間ユニットに対応し；及び
前記処理ユニットは、前記ネットワーク・デバイスにより送信されたページング・メッセージを前記Ｎ個の時間ドメイン・リソースに基づいてモニタリングするように構成されることは、具体的には：
前記処理ユニットは、前記ネットワーク・デバイスにより送信された前記ページング・メッセージを、前記Ｍ個のビームにおける少なくとも１つのビームの各々に対応する時間ユニットでモニタリングするように構成されることを含む、
請求項１２〜１４のうちの何れか１項に記載の通信装置。
【請求項１６】
前記処理ユニットは、前記ネットワーク・デバイスとの通信に使用されるビームの量Ｍを決定するように構成されることは、具体的には：
前記処理ユニットは、前記ネットワーク・デバイスとの通信に使用されるビームの前記量Ｍを、同期信号ブロックを前記端末デバイスに送信するために前記ネットワーク・デバイスにより実際に使用されるビームの量に基づいて、決定するように構成されることを含む、
請求項１５に記載の通信装置。
【請求項１７】
前記トランシーバ・ユニットは更に：
前記ネットワーク・デバイスにより送信されたビーム設定情報を受信するように構成されており、前記ビーム設定情報は前記ネットワーク・デバイスとの通信に使用されるビームの前記量を示し、或いは前記ビーム設定情報はビームにおいて前記ページング・メッセージをモニタリングする持続時間を示し；
前記処理ユニットは、前記ネットワーク・デバイスとの通信に使用されるビームの量Ｍを決定するように構成されることは、具体的には：
前記処理ユニットは、前記ネットワーク・デバイスとの通信に使用されるビームの前記量Ｍを、前記ビーム設定情報に基づいて決定するように構成されることを含む、
請求項１５に記載の通信装置。
【請求項１８】
前記処理ユニットは更に：
前記Ｍ個のビームの各々に対応する信号受信品質に基づいて、前記Ｍ個のビームにおける前記少なくとも１つのビームを決定するように構成されている、
請求項１５〜１７のうちの何れか１項に記載の通信装置。
【請求項１９】
処理ユニットとトランシーバ・ユニットとを含む通信装置であって：
前記処理ユニットは、ページング・オケージョン設定情報を生成するように構成されており、前記ページング・オケージョン設定情報はページング・オケージョンにおけるＮ個の時間ドメイン・リソースを示し、Ｎは１以上の正の整数であり；及び
前記トランシーバ・ユニットは、前記ページング・オケージョン設定情報を端末デバイスに送信するように構成されており、前記ページング・オケージョン設定情報は前記Ｎ個の時間ドメイン・リソースを示す、通信装置。
【請求項２０】
前記ページング・オケージョン設定情報は、以下の情報：
前記時間ドメイン・リソースの量；
時間ドメイン・リソース各々の持続時間；
２つの隣接する時間ドメイン・リソースごとの間のインターバルの持続時間；及び
時間ドメイン位置オフセット情報であって、前記時間ドメイン位置オフセット情報は第２時間ドメイン位置に対する第１時間ドメイン位置のオフセットを示し、前記第１時間ドメイン位置は時間シーケンスで最初にランクしている時間ドメイン・リソースの開始位置であり、前記第２時間ドメイン位置は同期信号ブロックにおける任意の時間ドメイン位置である、或いは前記第２時間ドメイン位置はページング・フレームの開始時間ドメイン位置である、時間ドメイン位置オフセット情報；
のうちの少なくとも１つを含む、請求項１９に記載の通信装置。
【請求項２１】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項１９又は２０に記載の通信装置。
【請求項２２】
前記トランシーバ・ユニットは更に：
ビーム設定情報を前記端末デバイスへ送信するように構成されており、前記ビーム設定情報は前記ネットワーク・デバイスとの通信に使用されるビームの量を示す、或いは前記ビーム設定情報はビームにおいてページング・メッセージをモニタリングする持続時間を示す、
請求項１９〜２１のうちの何れか１項に記載の通信装置。
【請求項２３】
請求項１２〜１８のうちの何れか１項に記載の前記通信装置と請求項１９〜２２のうちの何れか１項に記載の前記通信装置とを含む通信システム。
【請求項２４】
コンピュータ・プログラムを格納するコンピュータ読み取り可能な記憶媒体であって、前記プログラムがプロセッサにより実行されると、請求項１〜７のうちの何れか１項に記載の前記通信方法が実行される、記憶媒体。
【請求項２５】
コンピュータ・プログラムを格納するコンピュータ読み取り可能な記憶媒体であって、前記プログラムがプロセッサにより実行されると、請求項８〜１１のうちの何れか１項に記載の前記通信方法が実行される、記憶媒体。
【請求項２６】
メモリと、プロセッサと、前記メモリに格納され且つ前記プロセッサ上で動作することが可能なプログラムとを含む通信装置であって、前記プロセッサが前記プログラムを実行すると、請求項１〜７のうちの何れか１項に記載の前記通信方法が実行される、通信装置。
【請求項２７】
メモリと、プロセッサと、前記メモリに格納され且つ前記プロセッサ上で動作することが可能なプログラムとを含む通信装置であって、前記プロセッサが前記プログラムを実行すると、請求項８〜１１のうちの何れか１項に記載の前記通信方法が実行される、通信装置。
【発明の詳細な説明】
【背景技術】
【０００１】
本願は全体的に本願に援用される２０１８年４月３日に中国特許庁に出願された「ページング・メッセージ・モニタリング方法、指示情報送信方法、デバイス、及びシステム」と題する中国特許出願第２０１８１０２９８３９６．０号の優先権を主張している。
【０００２】
技術分野
本願は通信技術の分野、特にページング・メッセージ・モニタリング方法、指示情報送信方法、デバイス、及びシステムに関連する。
【０００３】
背景
ロング・ターム・エボリューション（ｌｏｎｇ  ｔｅｒｍ  ｅｖｏｌｕｔｉｏｎ，ＬＴＥ）において、端末デバイスは、端末デバイスがページングされているかどうか、システム・メッセージが変化しているかどうか、地震・津波警報システム（ｅａｒｔｈｑｕａｋｅ  ａｎｄ  ｔｓｕｎａｍｉ  ｗａｒｎｉｎｇ  ｓｙｓｔｅｍ，ＥＴＲＳ）の警報指示があるかどうか等を、ページング・メッセージをモニタリングすることにより決定する。
【０００４】
アイドル（ｉｄｌｅ）モードにある端末デバイスは、端末デバイスの消費電力を低減するために、不連続受信（ｄｉｓｃｏｎｔｉｎｕｏｕｓ  ｒｅｃｅｐｔｉｏｎ，ＤＲＸ）方式でページング・メッセージを監視する。１つのＤＲＸサイクルにおいて、端末デバイスは、対応するページング・フレーム（ＰＦ）におけるページング・オケージョン（ＰＯ）においてのみ、ページング無線ネットワーク・テンポラリ識別子（ｐａｇｉｎｇ  ｒａｄｉｏ  ｎｅｔｗｏｒｋ  ｔｅｍｐｏｒａｒｙ  ｉｄｅｎｔｉｔｙ，Ｐ−ＲＮＴＩ）が物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）に存在するかどうかをモニタリングし、対応する物理ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）がページング・メッセージを運んでいるかどうかを決定する。ＰＦはＬＴＥにおける無線フレームに対応し、ＰＯはＬＴＥにおけるサブフレームに対応する。端末デバイスは、ＰＦ及びＰＯを利用することにより、端末デバイスがページング・メッセージをモニタリングするべきサブフレームを学ぶ。通常、端末デバイスの電力消費を更に低減するために、端末デバイスは、１つのＤＲＸサイクルにおいて高々１つのＰＦ及び１つのＰＯをモニタリングする。
【０００５】
具体的には、ＰＦの値は次式を使用することにより決定される：
ＳＦＮ  ｍｏｄ  Ｔ＝（Ｔ  ｄｉｖ  Ｎ）（ＵＥ＿ＩＤ  ｍｏｄ  Ｎ）
【０００６】
ＰＯの値は次式を使用することにより決定される：
ｉ＿ｓ＝Ｆｌｏｏｒ（ＵＥ＿ＩＤ／Ｎ）ｍｏｄ  Ｎｓ，
周波数分割複信（ｆｒｅｑｕｅｎｃｙ  ｄｉｖｉｓｉｏｎ  ｄｕｐｌｅｘｉｎｇ，ＦＤＤ）ＬＴＥでは、ｉ＿ｓ及びＰＯの値の間の対応関係は表１に示されるものであってもよい。
表１
【表１】
2021518719.tif 000003
【０００７】
ＳＦＮはＰＦの値であり、ＰＦに対応する無線フレームのフレーム番号である。ＴはデフォルトのＤＲＸサイクル及び特定のＤＲＸサイクルのうちの小さい方である。デフォルトのＤＲＸサイクルは、Ｓ１インターフェースを介して端末デバイスへネットワーク・デバイスによってブロードキャストされ、デフォルトＤＲＸサイクルの値は、３２、６４、１２８、又は２５６である可能性があり、デフォルトＤＲＸサイクルは、無線フレーム量で表現される。特定のＤＲＸサイクルは、無線リソース制御（ｒａｄｉｏ  ｒｅｓｏｕｒｃｅ  ｃｏｎｔｒｏｌ，ＲＲＣ）メッセージを使用することによって、端末デバイスのためにネットワーク・デバイスによって設定され、特定のＤＲＸサイクルの値は、３２、６４、１２８、又は２５６である可能性があり、特定のＤＲＸサイクルは、無線フレーム量で表現される。Ｎ＝ｍｉｎ（Ｔ，ｎＢ）であり、ＮはＤＲＸサイクルにおけるページング・フレームの量である。ｎＢ＝４Ｔ，２Ｔ，Ｔ，Ｔ／２，Ｔ／４，Ｔ／８，Ｔ／１６，又はＴ／３２であり、ｎＢはＳ１インターフェースを介して端末デバイスへネットワーク・デバイスによりブロードキャストされる。ＵＥ＿ＩＤ＝ＩＭＳＩ  ｍｏｄ  １０２４であり、ＩＭＳＩは端末デバイスの固有の国際識別子である。Ｎｓ＝ｍａｘ（１，ｎＢ／Ｔ）であり、ＮｓはＰＦにおけるＰＯの量である。例えば、ｎＢ＝Ｔ／２及びＮｓ＝１である場合、１つのＰＦは１つのＰＯのみを含む。
【０００８】
ＦＤＤ  ＬＴＥでは、前述の方法において、ＰＯは無線フレーム中のサブフレーム０、４、５、及び９においてのみ発生する可能性があり、ＰＯの持続時間及び位置は基本的に固定されていることを、表１から学ぶことができる。従って、既存のページング・メッセージ・モニタリング機構の柔軟性は比較的乏しい。
【発明の概要】
【０００９】
本願の実施形態は、ページング・メッセージ・モニタリング機構の柔軟性を改善するために、ページング・メッセージ・モニタリング方法、指示情報送信方法、デバイス、及びシステムを提供する。
【００１０】
第１態様によれば、本願の実施形態におけるページング・メッセージ・モニタリング方法は以下を含む：
【００１１】
端末デバイスは、ネットワーク・デバイスにより送信されたページング・オケージョン設定情報を受信し、ネットワーク・デバイスにより送信されたページング・メッセージを、Ｎ個の時間ドメイン・リソースに基づいてモニタリングする。ページング・オケージョン設定情報は、ページング・オケージョンにおけるＮ個の時間ドメイン・リソースを示し、Ｎは１以上の正の整数である。
【００１２】
本願のこの実施形態では、ネットワーク・デバイスは、ページング・オケージョン内にあり且つページング・メッセージをモニタリングするために使用される時間ドメイン・リソースを、端末デバイスに指示することができる。これはページング・メッセージ・モニタリング機構の柔軟性を改善することに役立つ。
【００１３】
実装を容易にするために、可能な設計において、ページング・オケージョン設定情報は、以下の情報：時間ドメイン・リソースの量；時間ドメイン・リソース各々の持続時間；２つの隣接する時間ドメイン・リソースごとの間のインターバルの持続時間；及び時間ドメイン位置オフセット情報のうちの少なくとも１つを含む。時間ドメイン位置オフセット情報は、第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【００１４】
可能な設計において、時間ドメイン位置オフセット情報は第１オフセット情報と第２オフセット情報とを含む。第１オフセット情報は、第２時間ドメイン位置に対するページング・オケージョンの開始位置のオフセットを示し；第２オフセット情報はページング・オケージョンの開始位置に対する第１時間ドメイン位置のオフセットを示す。前述の技術的方法は、時間ドメイン位置オフセットを柔軟に指示することに役立つ。
【００１５】
可能な設計において、端末デバイスは、ネットワーク・デバイスとの通信に使用されるビームの量Ｍを決定し、Ｍは１以上の正の整数であり；端末デバイスは、Ｎ個の時間ドメイン・リソースをＭ個の時間ユニットに分割し、Ｍ個のビームの各々はＭ個の時間ユニットの１つに対応し、Ｍ個のビームは異なる時間ユニットに対応し；そして、端末デバイスは、ネットワーク・デバイスにより送信されたページング・メッセージを、Ｍ個のビームにおける少なくとも１つのビームの各々に対応する時間ユニットでモニタリングする。
【００１６】
前述の技術的ソリューションは、端末デバイスがページング・メッセージをモニタリングする際の電力消費を減らすことに役立つ。
【００１７】
可能な設計において、端末デバイスは、ネットワーク・デバイスとの通信に使用されるビームの量Ｍを、同期信号ブロックを端末デバイスに送信するためにネットワーク・デバイスにより実際に使用されるビームの量に基づいて決定する。前述の技術的ソリューションは、シグナリング・オーバヘッドを低減することに役立つ。
【００１８】
可能な設計において、端末デバイスは、ネットワーク・デバイスにより送信されたビーム設定情報を受信し、ビーム設定情報はネットワーク・デバイスとの通信に使用されるビームの量を示す、或いはビーム設定情報は１つのビームにおいてページング・メッセージをモニタリングする持続時間を示し；そして、端末デバイスは、ネットワーク・デバイスとの通信に使用されるビームの量Ｍを、ビーム設定情報に基づいて決定する。前述の技術的ソリューションは、端末デバイスとネットワーク・デバイスとの間の通信に使用されるビームの量を決定する方法をシンプルにすることに役立つ。
【００１９】
可能な設計において、端末デバイスは、Ｍ個のビームの各々に対応する信号受信品質に基づいて、Ｍ個のビームにおける少なくとも１つのビームを決定する。前述の技術的ソリューションは、端末デバイスがページング・メッセージをモニタリングする際の電力消費を更に低減することに役立つ。
【００２０】
第２態様によれば、本願の実施形態における指示情報送信方法は以下を含む：
【００２１】
ネットワーク・デバイスは、ページング・オケージョン設定情報を生成し、ページング・オケージョン設定情報を端末デバイスに送信し、ページング・オケージョン設定情報はＮ個の時間ドメイン・リソースを示す。ページング・オケージョン設定情報は、ページング・オケージョンにおけるＮ個の時間ドメイン・リソースを示し、Ｎは１以上の正の整数である。本願のこの実施形態では、ネットワーク・デバイスは、ページング・オケージョン内にあり且つページング・メッセージをモニタリングするために使用される時間ドメイン・リソースを、端末デバイスに通知することができる。これは、ページング・メッセージ・モニタリング機構の柔軟性を改善することに役立つ。
【００２２】
実装を容易にするために、可能な設計において、ページング・オケージョン設定情報は、以下の情報：時間ドメイン・リソースの量；時間ドメイン・リソース各々の持続時間；２つの隣接する時間ドメイン・リソースごとの間のインターバルの持続時間；及び時間ドメイン位置オフセット情報のうちの少なくとも１つを含む。時間ドメイン位置オフセット情報は、第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【００２３】
可能な設計において、時間ドメイン位置オフセット情報は第１オフセット情報と第２オフセット情報とを含む。第１オフセット情報は、第２時間ドメイン位置に対するページング・オケージョンの開始位置のオフセットを示し；第２オフセット情報はページング・オケージョンの開始位置に対する第１時間ドメイン位置のオフセットを示す。前述の技術的方法は、時間ドメイン位置オフセットを柔軟に指示することに役立つ。
【００２４】
可能な設計において、ネットワーク・デバイスは、ビーム設定情報を端末デバイスへ送信し、ビーム設定情報はネットワーク・デバイスとの通信に使用されるビームの量を示す、或いはビーム設定情報は１つのビームにおいてページング・メッセージをモニタリングする持続時間を示す。前述の技術的ソリューションは、端末デバイスとネットワーク・デバイスとの間の通信に使用されるビームの量を決定する方法をシンプルにすることに役立つ。
【００２５】
第３態様によれば、本願の実施形態におけるページング・メッセージ・モニタリング方法は以下を含む：
【００２６】
端末デバイスは、ネットワーク・デバイスにより送信された周波数ドメイン設定情報を受信し、周波数ドメイン設定情報はＱ個の周波数ドメイン・リソースを示し、Ｑは１以上の正の整数であり；及び
端末デバイスは、ページング・メッセージをモニタリングするために使用される周波数ドメイン・リソースを、Ｑ個の周波数ドメイン・リソースに基づいて決定し；ネットワーク・デバイスによって送信されたページング・メッセージを、ページング・オケージョンにおける決定された周波数ドメイン・リソースに基づいてモニタリングする。
【００２７】
本願のこの実施形態において、端末デバイスが、ページング・メッセージをモニタリングするために使用される周波数ドメイン・リソースを、Ｑ個の周波数ドメイン・リソースに基づいて決定することは：ページング・メッセージをモニタリングするために使用される周波数ドメイン・リソースを、Ｑ個の周波数ドメイン・リソースに基づいて決定すること、或いはページング・メッセージをモニタリングするために使用される周波数ドメイン・リソースを、Ｑ個の周波数ドメイン・リソース及び初期の周波数ドメイン・リソースから決定することであってもよいことに留意すべきである。そは限定されない。初期の周波数ドメイン・リソースは、システム・メッセージを受信するために端末デバイスによって使用される周波数ドメイン・リソースである。
【００２８】
前述の技術的ソリューションは、端末デバイスの消費電力を低減することに役立つ。
【００２９】
ページング・メッセージをモニタリングするために使用される周波数ドメイン・リソースを決定する方法を簡略化するため、可能な設計において、周波数ドメイン設定情報は、Ｑ個の周波数ドメイン・リソース各々に対応するインデックスを更に示し；端末デバイスは、Ｑ個の周波数ドメイン・リソースに対応するインデックス及び端末デバイスの識別子に基づいて、ページング・メッセージをモニタリングするために使用される周波数ドメイン・リソースを決定し、端末デバイスの識別子とページング・メッセージをモニタリングするために使用される周波数ドメイン・リソースに対応するインデックスとは、事前に設定された関係を充足する。
【００３０】
可能な設計において、端末デバイスの識別子とページング・メッセージをモニタリングするために使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために使用される周波数ドメイン・リソースに対応するインデックスであり、Ｐは、１つのページング・サイクルにおけるページング・オケージョンの量に対する、端末デバイスの識別子の比率である、或いはＰは端末デバイスの識別子が反転された後に得られる値である。
【００３１】
周波数ドメイン・リソースを指示する方法を単純化するために、可能な設計において、周波数ドメイン設定情報は、Ｑ個の周波数ドメイン・リソース各々のキャリアと、Ｑ個の周波数ドメイン・リソース各々の帯域幅とを含む。
【００３２】
可能な設計において、周波数ドメイン設定情報は、Ｑ個の周波数ドメイン・リソース各々の制御リソース・セット、Ｑ個の周波数ドメイン・リソース各々に対応するサーチ・スペース、Ｑ個の周波数ドメイン・リソース各々と物理セル識別子ＰＣＩとの間の対応関係のうちの少なくとも１つを更に含み、端末デバイスは、周波数ドメイン・リソースの制御リソース・セット、周波数ドメイン・リソースのサーチ・スペース、及び周波数ドメイン・リソースに対応するＰＣＩのうちの少なくとも１つに基づいて、ページング・オケージョンにおけるページング・メッセージを、ページング・メッセージをモニタリングするために使用される周波数ドメイン・リソース上でモニタリングする。
【００３３】
第４態様によれば、本願の実施形態における指示情報送信方法は以下を含む：
【００３４】
ネットワーク・デバイスは、周波数ドメイン設定情報を生成し、周波数ドメイン設定情報は、Ｑ個の周波数ドメイン・リソースを示し、Ｑは１以上の正の整数であり；そして、ネットワーク・デバイスは、周波数ドメイン設定情報を端末デバイスに送信する。
【００３５】
可能な設計において、周波数ドメイン設定情報は、Ｑ個の周波数ドメイン・リソース各々に対応するインデックスを更に示し、端末デバイスの識別子とページング・メッセージをモニタリングするために端末デバイスにより使用される周波数ドメイン・リソースに対応するインデックスとは、事前に設定された関係を充足する。
【００３６】
可能な設計において、端末デバイスの識別子とページング・メッセージをモニタリングするために端末デバイスにより使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために端末デバイスにより使用される周波数ドメイン・リソースに関連付けられるインデックスであり、Ｐは、１つのページング・サイクルにおけるページング・オケージョンの量に対する、端末デバイスの識別子の比率である、或いはＰは端末デバイスの識別子が反転された後に得られる値である。
【００３７】
可能な設計において、周波数ドメイン・リソース設定情報は、Ｑ個の周波数ドメイン・リソース各々のキャリアとＱ個の周波数ドメイン・リソース各々の帯域幅とを含む。
【００３８】
可能な設計において、周波数ドメイン設定情報は、Ｑ個の周波数ドメイン・リソース各々の制御リソース・セット、Ｑ個の周波数ドメイン・リソース各々に対応するサーチ・スペース、及びＱ個の周波数ドメイン・リソース各々と物理セル識別子ＰＣＩとの間の対応関係のうちの少なくとも１つを更に含む。
【００３９】
第５態様によれば、本願の実施形態における通信装置は、トランシーバ・ユニットと処理ユニットとを含む。トランシーバ・ユニットは、ネットワーク・デバイスにより送信されたページング・オケージョン設定情報を受信するように構成されており、ページング・オケージョン設定情報はページング・オケージョンにおけるＮ個の時間ドメイン・リソースを示し、Ｎは１以上の正の整数であり；処理ユニットは、ネットワーク・デバイスにより送信されたページング・メッセージをＮ個の時間ドメイン・リソースに基づいてモニタリングするように構成されている。
【００４０】
可能な設計において、ページング・オケージョン設定情報は、以下の情報：時間ドメイン・リソースの量；時間ドメイン・リソース各々の持続時間；２つの隣接する時間ドメイン・リソースごとの間のインターバルの持続時間；及び時間ドメイン位置オフセット情報のうちの少なくとも１つを含む。時間ドメイン位置オフセット情報は第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【００４１】
可能な設計において、時間ドメイン位置オフセット情報は第１オフセット情報と第２オフセット情報とを含む。第１オフセット情報は第２時間ドメイン位置に対するページング・オケージョンの開始位置のオフセットを示す。第２オフセット情報はページング・オケージョンの開始位置に対する第１時間ドメイン位置のオフセットを示す。
【００４２】
可能な設計において、処理ユニットは更に：ネットワーク・デバイスとの通信に使用されるビームの量Ｍを決定し、Ｎ個の時間ドメイン・リソースをＭ個の時間ユニットに分割するように構成されており、Ｍは１以上の正の整数であり、Ｍ個のビームの各々はＭ個の時間ユニットの１つに対応し、Ｍ個のビームは異なる時間ユニットに対応し；及び、処理ユニットは、ネットワーク・デバイスにより送信されたページング・メッセージを、Ｍ個のビームにおける少なくとも１つのビームの各々に対応する時間ユニットでモニタリングするように構成されている。
【００４３】
可能な設計において、処理ユニットは、ネットワーク・デバイスとの通信に使用されるビームの量Ｍを、同期信号ブロックを端末デバイスに送信するためにネットワーク・デバイスにより実際に使用されるビームの量に基づいて、決定するように構成されている。
【００４４】
可能な設計において、トランシーバ・ユニットは更に：ネットワーク・デバイスにより送信されたビーム設定情報を受信するように構成されており、ビーム設定情報はネットワーク・デバイスとの通信に使用されるビームの量を示す、或いはビーム設定情報は１つのビームにおいてページング・メッセージをモニタリングする持続時間を示し；処理ユニットは、ネットワーク・デバイスとの通信に使用されるビームの量Ｍを、ビーム設定情報に基づいて決定するように構成されている。
【００４５】
可能な設計において、処理ユニットは更に：Ｍ個のビームの各々に対応する信号受信品質に基づいて、Ｍ個のビームにおける少なくとも１つのビームを決定するように構成されている。
【００４６】
第５態様による通信装置の可能な設計によって達成される効果は、第１態様による方法の対応する可能な設計によって達成される効果と同じである。詳細は再度説明されない。
【００４７】
第６態様によれば、本願の実施形態における通信装置は、処理ユニットとトランシーバ・ユニットとを含む。処理ユニットは、ページング・オケージョン設定情報を生成するように構成されており、ページング・オケージョン設定情報はページング・オケージョンにおけるＮ個の時間ドメイン・リソースを示し、Ｎは１以上の正の整数であり；トランシーバ・ユニットは、ページング・オケージョン設定情報を端末デバイスに送信するように構成されており、ページング・オケージョン設定情報はＮ個の時間ドメイン・リソースを示す。
【００４８】
可能な設計において、ページング・オケージョン設定情報は、以下の情報：時間ドメイン・リソースの量；時間ドメイン・リソース各々の持続時間；２つの隣接する時間ドメイン・リソースごとの間のインターバルの持続時間；及び時間ドメイン位置オフセット情報のうちの少なくとも１つを含む。時間ドメイン位置オフセット情報は第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【００４９】
可能な設計において、時間ドメイン位置オフセット情報は第１オフセット情報と第２オフセット情報とを含む。第１オフセット情報は第２時間ドメイン位置に対するページング・オケージョンの開始位置のオフセットを示す。第２オフセット情報はページング・オケージョンの開始位置に対する第１時間ドメイン位置のオフセットを示す。
【００５０】
可能な設計において、トランシーバ・ユニットは更に：ビーム設定情報を端末デバイスへ送信するように構成されており、ビーム設定情報はネットワーク・デバイスとの通信に使用されるビームの量を示す、或いはビーム設定情報は１つのビームにおいてページング・メッセージをモニタリングする持続時間を示す。
【００５１】
第６態様による通信装置の可能な設計によって達成される効果は、第２態様による方法の対応する可能な設計によって達成される効果と同じである。詳細は再度説明されない。
【００５２】
第７態様によれば、本願の実施形態における通信装置は、処理ユニットとトランシーバ・ユニットとを含む。トランシーバ・ユニットは、ネットワーク・デバイスにより送信された周波数ドメイン設定情報を受信するように構成されており、周波数ドメイン設定情報はＱ個の周波数ドメイン・リソースを示し、Ｑは１以上の正の整数であり；処理ユニットは、ページング・メッセージをモニタリングするために使用される周波数ドメイン・リソースを、Ｑ個の周波数ドメイン・リソースに基づいて決定し；ネットワーク・デバイスによって送信されたページング・メッセージを、ページング・オケージョンにおける決定された周波数ドメイン・リソースに基づいてモニタリングするように構成されている。
【００５３】
可能な設計において、周波数ドメイン設定情報は、Ｑ個の周波数ドメイン・リソース各々に対応するインデックスを更に示し；処理ユニットは、Ｑ個の周波数ドメイン・リソースに対応するインデックス及び端末デバイスの識別子に基づいて、ページング・メッセージをモニタリングするために使用される周波数ドメイン・リソースを決定し、端末デバイスの識別子とページング・メッセージをモニタリングするために使用される周波数ドメイン・リソースに対応するインデックスとは、事前に設定された関係を充足する。
【００５４】
可能な設計において、端末デバイスの識別子とページング・メッセージをモニタリングするために使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために使用される周波数ドメイン・リソースに対応するインデックスであり、Ｐは、１つのページング・サイクルにおけるページング・オケージョンの量に対する、端末デバイスの識別子の比率である、或いはＰは端末デバイスの識別子が反転された後に得られる値である。
【００５５】
可能な設計において、周波数ドメイン設定情報は、Ｑ個の周波数ドメイン・リソース各々のキャリアと、Ｑ個の周波数ドメイン・リソース各々の帯域幅とを含む。
【００５６】
可能な設計において、周波数ドメイン設定情報は、Ｑ個の周波数ドメイン・リソース各々の制御リソース・セット、Ｑ個の周波数ドメイン・リソース各々に対応するサーチ・スペース、Ｑ個の周波数ドメイン・リソース各々と物理セル識別子ＰＣＩとの間の対応関係のうちの少なくとも１つを更に含み、処理ユニットは、周波数ドメイン・リソースの制御リソース・セット、周波数ドメイン・リソースのサーチ・スペース、及び周波数ドメイン・リソースに対応するＰＣＩのうちの少なくとも１つに基づいて、ページング・オケージョンにおけるページング・メッセージを、ページング・メッセージをモニタリングするために使用される周波数ドメイン・リソース上でモニタリングするように構成されている。
【００５７】
第７態様による通信装置の可能な設計によって達成される効果は、第３態様による方法の対応する可能な設計によって達成される効果と同じである。詳細は再度説明されない。
【００５８】
第８態様によれば、本願の実施形態における通信装置は、処理ユニットとトランシーバ・ユニットとを含む。処理ユニットは、周波数ドメイン設定情報を生成するように構成されており、周波数ドメイン設定情報は、Ｑ個の周波数ドメイン・リソースを示し、Ｑは１以上の正の整数であり；トランシーバ・ユニットは、周波数ドメイン設定情報を端末デバイスに送信するように構成されている。
【００５９】
可能な設計において、周波数ドメイン設定情報は、Ｑ個の周波数ドメイン・リソース各々に対応するインデックスを更に示し、端末デバイスの識別子とページング・メッセージをモニタリングするために端末デバイスにより使用される周波数ドメイン・リソースに対応するインデックスとは、事前に設定された関係を充足する。
【００６０】
可能な設計において、端末デバイスの識別子とページング・メッセージをモニタリングするために端末デバイスにより使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために端末デバイスにより使用される周波数ドメイン・リソースに関連付けられるインデックスであり、Ｐは、１つのページング・サイクルにおけるページング・オケージョンの量に対する、端末デバイスの識別子の比率である、或いはＰは端末デバイスの識別子が反転された後に得られる値である。
【００６１】
可能な設計において、周波数ドメイン・リソース設定情報は、Ｑ個の周波数ドメイン・リソース各々のキャリアとＱ個の周波数ドメイン・リソース各々の帯域幅とを含む。
【００６２】
可能な設計において、周波数ドメイン設定情報は、Ｑ個の周波数ドメイン・リソース各々の制御リソース・セット、Ｑ個の周波数ドメイン・リソース各々に対応するサーチ・スペース、及びＱ個の周波数ドメイン・リソース各々と物理セル識別子ＰＣＩとの間の対応関係のうちの少なくとも１つを更に含む。
【００６３】
第８態様による通信装置の可能な設計によって達成される効果は、第４態様による方法の対応する可能な設計によって達成される効果と同じである。詳細は再度説明されない。
【００６４】
第９態様によれば、通信装置が提供される。通信装置はプロセッサとトランシーバとを含む。プロセッサは、第５態様における処理ユニットの機能を実行し、トランシーバは第５態様におけるトランシーバ・ユニットの機能を実行する。
【００６５】
第１０態様によれば、通信装置が提供される。通信装置はプロセッサとインターフェースとを含む。プロセッサは、第５態様における処理ユニットの機能を実行し、インターフェースは、第５態様におけるトランシーバ・ユニットの機能を実行する。
【００６６】
第１１態様によれば、通信装置が提供される。通信装置はメモリと、プロセッサと、メモリに記憶され且つプロセッサ上で動作することが可能なプログラムとを含む。プロセッサがプログラムを実行すると、第１態様又は第１態様の可能な設計のうちの任意の１つによる方法が実現される。メモリは不揮発性メモリであってもよいし、或いは揮発性メモリであってもよいことに留意すべきである。メモリは、通信装置の中に配置されてもよいし、或いは通信装置の外に配置されてもよい。
【００６７】
第１２態様によれば、通信装置が提供される。通信装置は、第１態様又は第１態様の可能な設計のうちの任意の１つによる方法を実現することが可能である。通信装置は、端末デバイスであってもよいし、或いは同様の機能を実装するハードウェアであってもよい。
【００６８】
第１３態様によれば、通信装置が提供される。通信装置は、第２態様又は第２態様の可能な設計のうちの任意の１つによる方法を実現することが可能である。通信装置は、ネットワーク・デバイスであってもよいし、或いは同様の機能を実装するハードウェアであってもよい。
【００６９】
第１４態様によれば、通信装置が提供される。通信装置は少なくとも１つのプロセッサを含む。プロセッサはメモリに結合され、プロセッサは、メモリ内の命令を読み込み、命令に従って、第２態様又は第２態様の可能な設計のうちの任意の１つによる方法を実現するように構成されている。
【００７０】
第１５態様によれば、通信装置が提供される。通信装置はプロセッサとトランシーバとを含む。プロセッサは、第６態様における処理ユニットの機能を実行し、トランシーバは、第６態様におけるトランシーバ・ユニットの機能を実行する。
【００７１】
第１６態様によれば、通信装置が提供される。通信装置はプロセッサとインターフェースとを含む。プロセッサは、第６態様における処理ユニットの機能を実行し、インターフェースは、第６態様におけるトランシーバ・ユニットの機能を実行する。
【００７２】
第１７態様によれば、通信装置が提供される。通信装置はメモリと、プロセッサと、メモリに記憶され且つプロセッサ上で動作することが可能なプログラムとを含む。プロセッサがプログラムを実行すると、第３態様又は第３態様の可能な設計のうちの任意の１つによる方法が実現される。メモリは不揮発性メモリであってもよいし、或いは揮発性メモリであってもよいことに留意すべきである。メモリは、通信装置の中に配置されてもよいし、或いは通信装置の外に配置されてもよい。
【００７３】
第１８態様によれば、通信装置が提供される。通信装置は、第３態様又は第３態様の可能な設計のうちの任意の１つによる方法を実現することが可能である。通信装置は、端末デバイスであってもよいし、或いは同様の機能を実装するハードウェアであってもよい。
【００７４】
第１９態様によれば、通信装置が提供される。通信装置は、第４態様又は第４態様の可能な設計のうちの任意の１つによる方法を実現することが可能である。通信装置は、ネットワーク・デバイスであってもよいし、或いは同様の機能を実装するハードウェアであってもよい。
【００７５】
第２０態様によれば、通信装置が提供される。通信装置は少なくとも１つのプロセッサを含む。プロセッサはメモリに結合され、プロセッサは、メモリ内の命令を読み込み、命令に従って、第４態様又は第４態様の可能な設計のうちの任意の１つによる方法を実現するように構成されている。
【００７６】
第２１態様によれば、コンピュータ読み取り可能な記憶媒体が提供される。コンピュータ読み取り可能な記憶媒体は命令を格納し；命令が実行されると、第１態様ないし第４態様又は第１態様ないし第４態様の可能な設計のうちの任意の１つによる方法が実現される。
【００７７】
第２２態様によれば、本願の実施形態は、第５態様又は第５態様の可能な設計のうちの任意の１つによる通信装置と、第６態様又は第６態様の可能な設計のうちの任意の１つによる通信装置と、を含む通信システムを更に提供する。
【００７８】
第２３態様によれば、本願の実施形態は、第７態様又は第７態様の可能な設計のうちの任意の１つによる通信装置と、第８態様又は第８態様の可能な設計のうちの任意の１つによる通信装置と、を含む通信システムを更に提供する。
【図面の簡単な説明】
【００７９】
【図１】本願の実施形態が適用可能な可能性のある移動通信システムの概略アーキテクチャ図である。
【００８０】
【図２】本願の実施形態によるページング・メッセージ・モニタリング方法の概略フローチャートである。
【００８１】
【図３ａ】本願の実施形態によるページング・オケージョンの概略図である。
【００８２】
【図３ｂ】本願の実施形態によるページング・オケージョンの概略図である。
【００８３】
【図４】本願の実施形態によるページング・メッセージをモニタリングするために使用される時間ドメイン・リソースの概略図である。
【００８４】
【図５ａ】本願の実施形態によるページング・フレームの概略図である。
【００８５】
【図５ｂ】本願の実施形態によるページング・フレームの概略図である。
【００８６】
【図６】本願の実施形態によるページング・メッセージをモニタリングするために使用される時間ドメイン・リソースの概略図である。
【００８７】
【図７】本願の実施形態によるビームの概略図である。
【００８８】
【図８】本願の実施形態による時間ユニットの概略図である。
【００８９】
【図９】本願の実施形態による別のページング・メッセージ・モニタリング方法の概略フローチャートである。
【００９０】
【図１０】本願の実施形態によるページング・メッセージをモニタリングするために使用される周波数ドメイン・リソースの概略図である。
【００９１】
【図１１】本願の実施形態による通信装置の概略図である。
【００９２】
【図１２】本願の実施形態による通信装置の概略図である。
【００９３】
【図１３】本願の実施形態による通信装置の概略図である。
【００９４】
【図１４】本願の実施形態による通信装置の概略図である。
【００９５】
【図１５】本願の実施形態による通信装置の概略図である。
【００９６】
【図１６】本願の実施形態による通信装置の概略図である。
【００９７】
【図１７】本願の実施形態による通信装置の概略図である。
【００９８】
【図１８】本願の実施形態による通信装置の概略図である。
【００９９】
【図１９】本願の実施形態による通信装置の概略図である。
【０１００】
【図２０】本願の実施形態による通信装置の概略図である。
【０１０１】
【図２１】本願の実施形態による通信装置の概略図である。
【０１０２】
【図２２】本願の実施形態による通信装置の概略図である。
【０１０３】
【図２３】本願の実施形態による通信装置の概略図である。
【０１０４】
【図２４】本願の実施形態による通信装置の概略図である。
【発明を実施するための形態】
【０１０５】
以下、本明細書の添付図面を参照して本願の実施態様を説明する。
【０１０６】
図１は、本願の実施形態が適用可能な可能性のある移動通信システムの概略構成図である。図１に示す移動通信システムはネットワーク・デバイス及び端末デバイスを含む。図１は、移動通信システムの概略アーキテクチャ図に過ぎないことを理解されたい。移動通信システムにおけるネットワーク・デバイスの量及び端末デバイスの量は、本願の実施形態において限定されない。更に、ネットワーク・デバイス及び端末デバイスに加えて、本願の実施形態が適用可能な移動通信システムは、コア・ネットワーク・デバイス、無線中継デバイス、又は無線バックホール・デバイスのような別のデバイスを更に含むことができる。これも本願の実施態様において限定されない。更に、本願の実施形態におけるネットワーク・デバイスは、全ての機能を１つの独立した物理デバイスに統合してもよいし、或いは複数の独立した物理デバイスに機能を分散してもよい。これも本願の実施態様において限定されない。更に、本願の実施形態における端末デバイスは、無線方式でネットワーク・デバイスに接続されてもよい。更に、本願の実施形態における端末デバイスは、固定位置にあってもよいし、或いは移動可能であってもよいことに留意されたい。
【０１０７】
本願の実施形態におけるネットワーク・デバイスは、端末デバイスが移動通信システムにアクセスできるように構成されている。具体的には、ネットワーク・デバイスは、ノードＢ（ＮｏｄｅＢ）、エボルブド・ノードＢ（ｅｖｏｌｖｅｄ  ＮｏｄｅＢ，ｅＮＢ）、５Ｇにおける基地局、将来の移動通信システムにおける基地局、ワイヤレス・フィデリティ（ｗｉｒｅｌｅｓｓ  ｆｉｄｅｌｉｔｙ，Ｗｉ−Ｆｉ）システムにおけるアクセス・ポイント等であってもよい。ネットワーク・デバイスに使用される特定の技術及び特定のデバイス形態は限定されない。
【０１０８】
本願の実施形態における端末デバイスは、端末（ｔｅｒｍｉｎａｌ）、ユーザ装置（ｕｓｅｒ  ｅｑｕｉｐｍｅｎｔ，ＵＥ）、移動局（ｍｏｂｉｌｅ  ｓｔａｔｉｏｎ，ＭＳ）、移動端末（ｍｏｂｉｌｅ  ｔｅｒｍｉｎａｌ，ＭＴ）等と呼ばれてもよい。具体的には、端末デバイスは、携帯電話（ｍｏｂｉｌｅ  ｐｈｏｎｅ）、タブレット・コンピュータ（ｐａｄ）、無線トランシーバ機能を有するコンピュータ、仮想現実（ｖｉｒｔｕａｌ  ｒｅａｌｉｔｙ，ＶＲ）端末デバイス、拡張現実（ａｕｇｍｅｎｔｅｄ  ｒｅａｌｉｔｙ，ＡＲ）端末デバイス、産業制御（ｉｎｄｕｓｔｒｉａｌ  ｃｏｎｔｒｏｌ）における無線端末、自動運転（ｓｅｌｆ  ｄｒｉｖｉｎｇ）における無線端末、遠隔医療手術（ｒｅｍｏｔｅ  ｍｅｄｉｃａｌ  ｓｕｒｇｅｒｙ）における無線端末、スマート・グリッド（ｓｍａｒｔ  ｇｒｉｄ）における無線端末、輸送安全（ｔｒａｎｓｐｏｒｔａｔｉｏｎ  ｓａｆｅｔｙ）における無線端末、スマート・シティ（ｓｍａｒｔ  ｃｉｔｙ）の無線端末、スマート・ホーム（ｓｍａｒｔ  ｈｏｍｅ）における無線端末などである。それは限定されない。
【０１０９】
本願の実施形態におけるネットワーク・デバイス及び端末デバイスは、屋内デバイス、屋外デバイス、ハンドヘルド・デバイス、又は車載デバイスを含む地上に配備されてもよいし；水上に配備されてもよいし；或いは航空機、気球、及び上空の人工衛星に配備されてもよいことが理解されるべきである。ネットワーク・デバイス及び端末デバイスのアプリケーション・シナリオは限定されない。
【０１１０】
本願の実施形態において、ネットワーク・デバイスと端末デバイスとの間の通信、及び端末デバイス間の通信は、ライセンスされたスペクトル（ｌｉｃｅｎｓｅｄ  ｓｐｅｃｔｒｕｍ）を使用することにより実行されてもよいし、ライセンスされていないスペクトル（ｕｎｌｉｃｅｎｓｅｄ  ｓｐｅｃｔｒｕｍ）を使用することにより実行されてもよいし、ライセンスされたスペクトル及びライセンスされていないスペクトルの両方を使用することにより実行されてもよいことが理解されるべきである。それは限定されない。ネットワーク・デバイスと端末デバイスとの間の通信、及び端末デバイス間の通信は、６ギガヘルツ（ｇｉｇａｈｅｒｔｚ，ＧＨｚ）未満のスペクトルを使用することによって実行されてもよいし、或いは６ＧＨｚを超えるスペクトルを使用することによって実行されてもよいし、或いは６ＧＨｚ未満のスペクトル及び６ＧＨｚを超えるスペクトルの両方を使用することによって実行されてもよい。ネットワーク・デバイスと端末デバイスとの間で使用されるスペクトル・リソースは、本願の実施形態において限定されない。
【０１１１】
以下、当業者による理解を促すために、本願の実施形態における幾つかの用語を説明する。
【０１１２】
１．ページング・オケージョン：端末デバイスは、ページング・オケージョンが位置付けられる時間ドメイン・リソースの一部又は全部において、ネットワーク・デバイスによって送信されたページング・メッセージをモニタリングする。本願の実施形態におけるページング・オケージョンは、１つ以上の無線フレーム、サブフレーム、スロット等を含んでもよい。
【０１１３】
２．時間ドメイン・リソース：本願の実施形態における時間ドメイン・リソースは、例えば、無線フレーム、サブフレーム、スロット（ｓｌｏｔ）、シンボル、又はミニ・スロット（ｍｉｎｉ−ｓｌｏｔ）のような時間インターバルである。それは限定されない。
【０１１４】
３．ビーム（ｗａｖｅ  ｂｅａｍ）：ビームは、指向方向に送信される無線信号である。具体的には、第５世代移動通信システム（５ｔｈ−ｇｅｎｅｒａｔｉｏｎ，５Ｇ）では、同期信号ブロック（ｓｙｎｃｈｒｏｎｏｕｓ  ｓｉｇｎａｌ，ＳＳＢ）がビームの形態で様々な方向に伝送されることが可能であり、１つの指向方向に送信されたＳＳＢは１つのビームと言及されてよい。
【０１１５】
図２は、本願の実施形態によるページング・メッセージ・モニタリング方法の概略フローチャートである。具体的には、以下のステップが含まれる。
【０１１６】
ステップ２１０：ネットワーク・デバイスが、ページング・オケージョン設定情報を生成する。ページング・オケージョン設定情報は、ページング・オケージョンにおけるＮ個の時間ドメイン・リソースを示し、Ｎは１以上の正の整数である。
【０１１７】
本願の実施形態におけるＮ個の時間ドメイン・リソースは、連続的な時間ドメイン・リソースであってもよいし、非連続的な時間ドメイン・リソースであってもよいことに留意されたい。それは限定されない。更に、Ｎ個の時間ドメイン・リソース各々の持続時間は、要件に基づいて設定されてもよい。それは限定されない。
【０１１８】
例えば、ビームが５Ｇに導入されており、ネットワーク・デバイスは端末デバイスとの通信に使用される各ビームでページング・メッセージを送信することを必要とする。従って、端末デバイスのためにネットワーク・デバイスによって設定されるページング・オケージョンは比較的長い場合がある。この場合、オプションとして、ページング・オケージョンのトータル持続時間は、端末デバイスとの通信に使用される全てのビームでページング・メッセージを送信するためのトータル持続時間より短くはない。ネットワーク・デバイスと端末デバイスとの間の通信に使用される比較的多くのビームが存在する場合、ページング・オケージョンに含まれる全ての時間ドメイン・リソースが、ページング・メッセージをモニタリングするために使用されるならば、ページング・メッセージをモニタリングするために使用される時間ドメイン・リソースのトータル持続時間は、過剰に長くなる可能性がある。これは、ネットワーク・デバイスと端末デバイスとの間の通常な通信に影響を及ぼす。オプションとして、ページング・オケージョンは、ネットワーク・デバイスと端末デバイスとの間の通常の通信を保証するために、Ｎ個の時間ドメイン・リソースに加えて別の時間ドメイン・リソースを更に含む。ネットワーク・デバイス及び端末デバイスは、ページング・オケージョンに含まれる別の時間ドメイン・リソースを使用することにより、データ（例えば、システム情報、アップリンク・データ、又は個別データ）を送信することができる。
【０１１９】
例えば、Ｎの値は３である。例えば、図３ａは可能なページング・オケージョンの概略図である。ページング・オケージョンは、時間ドメイン・リソースａ、時間ドメイン・リソース１、時間ドメイン・リソースｂ、時間ドメイン・リソース２、時間ドメイン・リソースｃ、時間ドメイン・リソース３、及び時間ドメイン・リソースｄを含む。時間ドメイン・リソース１、時間ドメイン・リソース２、及び時間ドメイン・リソース３は、ページング・メッセージをモニタリングするために使用される時間ドメイン・リソースであり、時間ドメイン・リソースａ、時間ドメイン・リソースｂ、時間ドメイン・リソースｃ、及び時間ドメイン・リソースｄは、システム・メッセージを送信すること、個別データをスケジューリングすること、アップリンク・データを送信すること等のために使用される。ページング・オケージョンが図３ａに示されるものである場合、ページング・オケージョン設定情報は、ページング・オケージョンにおける時間ドメイン・リソース１、時間ドメイン・リソース２、及び時間ドメイン・リソース３を示す。別の例として、図３ｂは、別の可能なページング・オケージョンの概略図である。ページング・オケージョンは、時間ドメイン・リソース１、時間ドメイン・リソースＡ、時間ドメイン・リソース２、時間ドメイン・リソースＢ、及び時間ドメイン・リソース３を含む。時間ドメイン・リソース１、時間ドメイン・リソース２、及び時間ドメイン・リソース３は、ページング・メッセージをモニタリングするために使用される時間ドメイン・リソースであり、時間ドメイン・リソースＡは、システム・メッセージを送信するために使用され、時間ドメイン・リソースＢは、アップリンク・データを送信するために使用される。ページング・オケージョンが図３ｂに示されるものである場合、ページング・オケージョン設定情報は、ページング・オケージョンにおける時間ドメイン・リソース１、時間ドメイン・リソース２、及び時間ドメイン・リソース３を示す。
【０１２０】
更に、オプションとして、本願のこの実施形態では、ネットワーク・デバイスは、ページング・メッセージをモニタリングすること、システム情報を送信すること、アップリンク・データを伝送すること等のための様々なタスクの時間的な割合に基づいて、ページング・メッセージをモニタリングするために使用されるページング・オケージョンにおけるＮ個の時間ドメイン・リソースを決定してもよい。例えば、ネットワーク・デバイスは、ページング・メッセージをモニタリングすること、システム情報を送信すること、アップリンク・データを伝送すること等のための様々なタスクの時間的な割合に基づいて、１つのページング・オケージョンに含まれ且つページング・メッセージをモニタリングするために使用される時間ドメイン・リソースの量、ページング・メッセージをモニタリングするために使用される時間ドメイン・リソース各々の持続時間、及び隣接する時間ドメイン・リソース間のインターバルを、端末デバイスのために決定することができる。一例として、図３（ｂ）に示されているページング・オケージョンを使用する。システム・メッセージは、時間ドメイン・リソースＡで伝送される必要がある。従って、時間ドメイン・リソースＡは、システム・メッセージを伝送するために確保される必要があり、ページング・メッセージをモニタリングするために使用することはできない。アップリンク・データは、時間ドメイン・リソースＢで伝送される必要がある。従って、時間ドメイン・リソースＢはアップリンク・データを伝送するために確保される必要があり、ページング・メッセージをモニタリングするために使用することはできない。時間ドメイン・リソース１、時間ドメイン・リソース２、及び時間ドメイン・リソース３のトータル持続時間は、ネットワーク・デバイスとの通信に使用される全てのビームで端末デバイスによりページング・メッセージをモニタリングするための持続時間の合計より短い。
【０１２１】
ステップ２２０：ネットワーク・デバイスが、ページング・オケージョン設定情報を端末デバイスに送信する。
【０１２２】
本願のこの実施形態では、ネットワーク・デバイスは、システム・ブロードキャスト・メッセージを使用することにより、ページング・オケージョン設定情報を端末デバイスに送信してもよい。システム・ブロードキャスト・メッセージは、ｓｉｂ１又はｓｉｂ２であってもよい。ネットワーク・デバイスが、複数のビームを使用することにより端末デバイスと通信する場合には、端末デバイスが各ビーム方向でページング・オケージョン設定情報を受信できることを保証するため、ネットワーク・デバイスは、ページング・オケージョン設定情報を含むシステム・ブロードキャスト・メッセージを、各ビーム方向の端末デバイスに送信することを必要とする。
【０１２３】
ステップ２３０：ネットワーク・デバイスにより送信されたページング・オケージョン設定情報を受信した後に、端末デバイスが、ネットワーク・デバイスにより送信されたページング・メッセージを、Ｎ個の時間ドメイン・リソースに基づいてモニタリングする。
【０１２４】
端末デバイスがＮ個の時間ドメイン・リソースに基づいてページング・メッセージをモニタリングすることに対する可能な説明は、ページングに使用される識別子（例えばＰ−ＲＮＴＩ）がＰＤＣＣＨに存在するかどうかを、端末デバイスがＮ個の時間ドメイン・リソースにおいてモニタリングすることである点に留意すべきである。端末デバイスが、Ｎ個の時間ドメイン・リソースに含まれる時間ドメイン・リソースにおけるＰＤＣＣＨ上で、ページングに使用される識別子を検出した場合、端末デバイスは、対応するＰＤＳＣＨがページング・メッセージを運んでいると判断し、端末デバイスは、対応するＰＤＳＣＨでページング・メッセージを受信する。本願のこの実施形態では、端末デバイスの電力消費を低減するために、１つのページング・サイクルにおいて、端末デバイスは、１つのページング・オケージョンにおいてのみページング・メッセージをモニタリングすることに留意されたい。ページング・サイクルは、ＤＲＸサイクル又は所定のサイクルであってもよい。それは限定されない。
【０１２５】
本願のこの実施形態では、端末デバイスは、ページング・オケージョンのＮ個の時間ドメイン・リソースに基づいて、ページング・メッセージをモニタリングすることができる。従って、従来技術と比較して、この実施形態は、端末デバイスによるページング・メッセージをモニタリングすることについての柔軟性を改善する。
【０１２６】
本願のこの実施形態において、Ｎ個の時間ドメイン・リソースを示すオプション的な方法は次のとおりである。ページング・オケージョン設定情報は、以下の情報：
ページング・メッセージをモニタリングするために使用される時間ドメイン・リソースの量、ページング・メッセージをモニタリングするために使用される時間ドメイン・リソース各々の持続時間、ページング・メッセージをモニタリングするために使用される２つの隣接する時間ドメイン・リソース毎の間の間隔の持続時間、及び時間ドメイン位置オフセット情報、のうちの少なくとも１つを含む。ここで、時間ドメイン位置オフセット情報は、第２時間ドメイン位置に対する第１時間ドメイン位置のオフセットを示し、第１時間ドメイン位置は、ページング・メッセージをモニタリングするために使用され且つ時間シーケンスにおいて最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【０１２７】
例えば、ページング・メッセージをモニタリングするために使用される時間ドメイン・リソース各々の持続時間が、ページング・メッセージをモニタリングするために使用される２つの隣接する時間ドメイン・リソース間のインターバルの持続時間と同じである場合、ページング・メッセージをモニタリングするために使用される時間ドメイン・リソース、及びページング・メッセージをモニタリングするために使用される２つの隣接する時間ドメイン・リソース間のインターバルは、端末デバイス及びネットワーク・デバイスにおいてプロトコルで事前に設定されてもよい。この場合、ページング・オケージョン設定情報は、ページング・メッセージをモニタリングするために使用されるページング・オケージョンにおけるＮ個の時間ドメイン・リソースを示すために、ページング・メッセージをモニタリングするために使用される時間ドメイン・リソースの量と、時間ドメイン位置オフセット情報とを含むことが可能である。
【０１２８】
別の例として、ページング・メッセージをモニタリングするために使用される時間ドメイン・リソースの量は、端末デバイス及びネットワーク・デバイスで事前に定められている。ページング・メッセージをモニタリングするために使用される時間ドメイン・リソース各々の持続時間、ページング・メッセージをモニタリングするために使用される２つの隣接する時間ドメイン・リソース毎の間のインターバルの持続時間、及び時間ドメイン位置オフセット情報が柔軟に設定される場合、ページング・オケージョン設定情報は、ページング・メッセージをモニタリングするために使用されるページング・オケージョンにおけるＮ個の時間ドメイン・リソースを示すために、ページング・メッセージをモニタリングするために使用される時間ドメイン・リソース各々の持続時間、２つの隣接する時間ドメイン・リソース毎の間のインターバルの持続時間、及び時間ドメイン位置オフセット情報を含んでもよい。
【０１２９】
別の例として、第１時間ドメイン位置が端末デバイス及びネットワーク・デバイスにおいて予め定められている場合、ページング・オケージョン設定情報は、ページング・メッセージをモニタリングするために使用されるページング・オケージョンにおけるＮ個の時間ドメイン・リソースを示すために、ページング・メッセージをモニタリングするために使用される時間ドメイン・リソースの量、ページング・メッセージをモニタリングするために使用される時間ドメイン・リソース各々の持続時間、及びページング・メッセージをモニタリングするために使用される２つの隣接する時間ドメイン・リソース毎の間のインターバルの持続時間を含むことが可能である。
【０１３０】
更に、ページング・オケージョン設定情報は、代替的に、ページング・メッセージをモニタリングするために使用されるページング・オケージョンにおけるＮ個の時間ドメイン・リソースを示すために、ページング・メッセージをモニタリングするために使用される時間ドメイン・リソースの量、ページング・メッセージをモニタリングするために使用される時間ドメイン・リソース各々の持続時間、ページング・メッセージをモニタリングするために使用される２つの隣接する時間ドメイン・リソース毎の間のインターバルの持続時間、及び時間ドメイン位置オフセット情報を含んでもよい。
【０１３１】
例えば、ページング・オケージョン設定情報は、図３ａに示される時間ドメイン・リソース１、時間ドメイン・リソース２、及び時間ドメイン・リソース３を指示する。時間ドメイン・リソース１及び時間ドメイン・リソース２はページング・メッセージをモニタリングするために使用される２つの隣接する時間ドメイン・リソースであり、時間ドメイン・リソース２及び時間ドメイン・リソース３はページング・メッセージをモニタリングするために使用される２つの隣接する時間ドメイン・リソースであり、時間ドメイン・リソース１及び時間ドメイン・リソース３はページング・メッセージをモニタリングするために使用される２つの隣接しない時間ドメイン・リソースである。更に、時間ドメイン・リソース１、時間ドメイン・リソース２、及び時間ドメイン・リソース３において、時間シーケンスで最初にランクしている時間ドメイン・リソースは時間ドメイン・リソース１であり、２位にランクする時間ドメイン・リソースは時間ドメイン・リソース２であり、３位にランクする時間ドメイン・リソース３は時間ドメイン・リソース３である。
【０１３２】
図４に示すように、時間ドメイン・リソース１は持続時間１であり、時間ドメイン・リソース２は持続時間２であり、時間ドメイン・リソース３は持続時間３であり、時間ドメイン・リソース１と時間ドメイン・リソース２との間のインターバルの持続時間は持続時間４であり、時間ドメイン・リソース２と時間ドメイン・リソース３との間のインターバルの持続時間は持続時間５であり、第２時間ドメイン位置に対する第１時間ドメイン位置のオフセットは持続時間６であり、第１時間ドメイン位置は時間ドメイン・リソース１の開始時間ドメイン位置Ａであり、第２時間ドメイン位置は同期信号ブロックの終了時間ドメイン位置Ｂである。
【０１３３】
この場合、オプションとして、ページング・オケージョン設定情報は、以下の情報：時間ドメイン・リソース１の持続時間は持続時間１であること、時間ドメイン・リソース２の持続時間は持続時間２であること、時間ドメイン・リソース３の持続時間は持続時間３であること、時間ドメイン・リソース１と時間ドメイン・リソース２との間のインターバルの持続時間は持続時間４であること、時間ドメイン・リソース２と時間ドメイン・リソース３との間のインターバルの持続時間は持続時間５であること、及び第２時間ドメイン位置に対する第１時間ドメイン位置のオフセットは持続時間６であることを含む。
【０１３４】
代替的に、第２時間ドメイン位置は、同期信号ブロックの開始時間ドメイン位置、又は同期信号ブロックにおける別の時間ドメイン位置であってもよいことに留意されたい。これは本願のこの実施態様で限定されない。例えば、同期信号ブロックの開始時間ドメイン位置は、同期信号ブロックの送信が実際に開始する時間であってもよく、同期信号ブロックの終了時間ドメイン位置は、同期信号ブロックの送信が実際に終了する時間であってもよい。
【０１３５】
更に、第２時間ドメイン位置は、ページング・フレームの開始時間ドメイン位置であってもよい。代替的に、第２時間ドメイン位置は、ページング・フレーム内の所定の時間ドメイン位置などである。それは限定されない。
【０１３６】
本願のこの実施形態では、ページング・フレームは、ページング・メッセージをモニタリングするために使用されるＮ個の時間ドメイン・リソース内の時間シーケンスにおいて最初にランク付けされる時間ドメイン・リソースを含む無線フレームであってもよいことに留意されたい。一例として、図３ａに示す時間ドメイン・リソース１、時間ドメイン・リソース２、及び時間ドメイン・リソース３を使用する。時間ドメイン・リソース１を含む無線フレームがページング・フレームである。本願のこの実施形態では、時間ドメイン・リソース１を含む無線フレームは、時間ドメイン・リソース１の一部又は全部を含む無線フレームであってもよいことに留意されたい。それは本願のこの実施態様で限定されない。例えば、図５ａに示されるように、時間ドメイン・リソース１の一部は無線フレーム１にあり、他の部分は無線フレーム２にある。本願のこの実施形態では、ページング・フレームは無線フレーム１であるか、又は無線フレーム２であってもよい。通常、時間ドメイン・リソース１は１つの無線フレームに配置される。本願のこの実施形態における無線フレームは、ＬＴＥにおける無線フレームであってもよいし、又は新たに定義されたフレーム構造であってもよい。それは限定されない。更に、本願のこの実施形態におけるページング・フレームは、代替的に、Ｎ個の時間ドメイン・リソースを含む連続するＫ個の無線フレームであってもよい。Ｎは、端末デバイスに関してネットワーク・デバイスによって構成されるか、又はＫはページング・オケージョンの長さに基づいて端末デバイスによって計算される。例えば、Ｋ＝Ｎ個の時間ドメイン・リソースの全長／Ｌであり、ここで、Ｌは正の整数であり、Ｌは事前に決定された値であるか、又はＬは端末デバイスのためにネットワーク・デバイスによって設定された値である。例えば、図３ａに示される時間ドメイン・リソース１、時間ドメイン・リソース２、及び時間ドメイン・リソース３は、３つの連続する無線フレームを占有し、連続する３つの無線フレームはページング・フレームである。
【０１３７】
更に、本願のこの実施形態では、時間ドメイン位置オフセット情報は、第２時間ドメイン位置に対する第１時間ドメイン位置のオフセットを直接的に示してもよいし、或いは第２時間ドメイン位置に対する第１時間ドメイン位置のオフセットを間接的に示してもよい。
【０１３８】
第２時間ドメイン位置に対する第１時間ドメイン位置のオフセットを間接的に表示する方法は、以下の通りである：
【０１３９】
時間ドメイン位置オフセット情報は、第１オフセット情報と第２オフセット情報とを含む。第１オフセット情報は、第２時間ドメイン位置に対するページング・オケージョンの開始位置のオフセットを示す。第２オフセット情報は、ページング・オケージョンの開始位置に対する第１時間ドメイン位置のオフセットを示。
【０１４０】
例えば、ページング・オケージョン設定情報は、図３ａに示される時間ドメイン・リソース１、時間ドメイン・リソース２、及び時間ドメイン・リソース３を指示する。時間ドメイン・リソース１及び時間ドメイン・リソース２は、ページング・メッセージをモニタリングするために使用される２つの隣接する時間ドメイン・リソースであり、時間ドメイン・リソース２及び時間ドメイン・リソース３は、ページング・メッセージをモニタリングするために使用される２つの隣接する時間ドメイン・リソースであり、時間ドメイン・リソース１及び時間ドメイン・リソース３は、ページング・メッセージをモニタリングするために使用される２つの隣接しない時間ドメイン・リソースである。更に、時間ドメイン・リソース１、時間ドメイン・リソース２、及び時間ドメイン・リソース３では、時間シーケンスで最初にランキングされる時間ドメイン・リソースは、時間ドメイン・リソース１である。
【０１４１】
図６に示されるように、時間ドメイン・リソース１の持続時間は持続時間１であり、時間ドメイン・リソース２の持続時間は持続時間２であり、時間ドメイン・リソース３の持続時間は持続時間３であり、時間ドメイン・リソース１と時間ドメイン・リソース２との間のインターバルの持続時間は持続時間４であり、時間ドメイン・リソース２と時間ドメイン・リソース３との間のインターバルの持続時間は持続時間５であり、第２時間ドメイン・リソース２に対する第１時間ドメイン・リソースのオフセットは持続時間６であり、第１時間ドメイン位置は時間ドメイン・リソース１の開始時間ドメイン位置Ａであり、第２時間ドメイン位置は同期信号ブロックの終了時間ドメイン位置Ｂであり、ページング・オケージョンの開始位置に対する第１時間ドメイン位置のオフセットは持続時間７であり、第２時間ドメイン位置に対するページング・オケージョンの開始位置のオフセットは持続時間０である。
【０１４２】
この場合、オプションとして、ページング・オケージョン設定情報は、以下の情報：時間ドメイン・リソース１の持続時間は持続時間１であること、時間ドメイン・リソース２の持続時間は持続時間２であること、時間ドメイン・リソース３の持続時間は持続時間３であること、時間ドメイン・リソース１と時間ドメイン・リソース２との間のインターバルの持続時間は持続時間４であること、時間ドメイン・リソース２と時間ドメイン・リソース３との間のインターバルの持続時間は持続時間５であること、ページング・オケージョンの開始位置に対する第１時間ドメイン位置のオフセットは持続時間７であること、及び第２時間ドメイン位置に対するページング・オケージョンの開始位置のオフセットは持続時間０であることを含む。
【０１４３】
５Ｇでは比較的高い周波数のスペクトルが通信に使用されるので、信号カバレッジ要件を満たすためにビーム送信技術が導入されることを理解すべきである。この場合、ネットワーク・デバイスは、複数のビームを使用することにより端末デバイスと通信することが可能である。一般に、ビームのビーム方向は様々で或る。ネットワーク・デバイス及び端末デバイスは、図７に示されるように、ビーム１、ビーム２、ビーム３、ビーム４、ビーム５、ビーム６、ビーム７、ビーム８を使用することにより、互いに通信してよいことが仮定される。この場合、端末デバイスは、ビーム１、ビーム２、ビーム３、ビーム４、ビーム５、ビーム６、ビーム７及びビーム８の各々についてのページング・メッセージをモニタリングする可能性がある。Ｎ個の時間ドメイン・リソースでページング・メッセージをモニタリングする場合に、ページング・メッセージがモニタリングされるビームを、端末デバイスが決定することを可能にするために、端末デバイスは、ネットワーク・デバイスとの通信に使用されるビームの量Ｍを決定し、ここでＭは１以上の正の整数である。次いで、端末デバイスはＮ個の時間ドメイン・リソースをＭ個の時間ユニットに分割する。Ｍ個のビームの各々は、Ｍ個の時間ユニットのうちの１つに対応し、Ｍ個のビームは、異なる時間ユニットに対応する。最後に、端末デバイスは、Ｍ個のビームのうちの少なくとも１つのビーム各々に対応する時間ユニットで、ネットワーク・デバイスによって送信されたページング・メッセージをモニタリングする。
【０１４４】
図３ａに示される時間ドメイン・リソース１、時間ドメイン・リソース２、及び時間ドメイン・リソース３を一例として使用する。時間ドメイン・リソース１の持続時間が１．５ｍｓであり、時間ドメイン・リソース２の持続時間が０．５ｍｓであり、時間ドメイン・リソース３の持続時間が３ｍｓであり、端末デバイスとネットワーク・デバイスとの間の通信に使用されるビームが：ビーム１、ビーム２、ビーム３、ビーム４、ビーム５、ビーム６、ビーム７、及びビーム８のうちのビーム２、ビーム３、ビーム５、ビーム７、ビーム８で５つ存在する場合、時間ドメイン・リソース１、時間ドメイン・リソース２、及び時間ドメイン・リソース３は、図８に示されるように、等しい持続時間を有する５つの時間ユニットに分割されてもよい。時間ユニットとビームとの間の対応関係は、端末デバイスとネットワーク・デバイスとの間で事前に合意されていてもよい。例えば、時間ユニットとビームとの間の対応関係は：ビームは、ネットワーク・デバイスがビームを使用することにより同期信号を送信する時間シーケンスにおける時間ユニットに順に対応する、というものであってもよい。例えば、ネットワーク・デバイスがビームを使用することにより同期信号を送信する順序は、ビーム２、ビーム３、ビーム５、ビーム７、及びビーム８である。この場合、ビーム２は時間ユニット１に対応し、ビーム３は時間ユニット２に対応し、ビーム５は時間ユニット３に対応し、ビーム７は時間ユニット４に対応し、ビーム８は時間ユニット５に対応する。この場合、端末デバイスは、ＳＳＢを送信するために使用される第１ビームが時間ユニット１に対応し、ＳＳＢを送信するために使用される第２ビームが時間ユニット２に対応し、ＳＳＢを送信するために使用される第３ビームが時間ユニット３に対応し、ＳＳＢを送信するために使用される第４ビームが時間ユニット４に対応し、ＳＳＢを送信するために使用される第５ビームが時間ユニット５に対応する、と判断する。ＳＳＢを送信するために使用される第１ビームはビーム２であり、ＳＳＢを送信するために使用される第２ビームはビーム３であり、ＳＳＢを送信するために使用される第３ビームはビーム５であり、ＳＳＢを送信するために使用される第４ビームはビーム７であり、そしてＳＳＢを送信するために使用される第５ビームはビーム８である。
【０１４５】
端末デバイスは、時間ユニット１、時間ユニット２、時間ユニット３、時間ユニット４、時間ユニット５のうちの少なくとも１つでページング・メッセージをモニタリングすることができる。例えば、端末デバイスが時間ユニット１でページング・メッセージをモニタリングする場合には、端末デバイスはＳＳＢを送信するために使用される第１ビームでモニタリングを実行し；端末デバイスが時間ユニット２でページング・メッセージをモニタリングする場合には、端末デバイスはＳＳＢを送信するために使用される第２ビームでモニタリングを実行する。端末デバイスが、ＳＳＢを送信するために使用されるビームの特定のビーム・インデックスを知らなかったとしても、それでも端末デバイスはビームに対応する時間ユニットを決定することができる。
【０１４６】
オプションとして、端末デバイスは、Ｍ個のビームの各々に対応する受信信号品質に基づいて、ページング・メッセージをモニタリングするために使用される少なくとも１つのビームを決定することができる。
【０１４７】
例えば、ビーム２は時間ユニット１に対応し、ビーム３は時間ユニット２に対応し、ビーム５は時間ユニット３に対応し、ビーム７は時間ユニット４に対応し、ビーム８は時間ユニット５に対応する。ビーム２に対応する信号受信品質がＡ１であり、ビーム３に対応する信号受信品質がＡ２であり、ビーム５に対応する信号受信品質がＡ３であり、ビーム７に対応する信号受信品質がＡ４であり、ビーム８に対応する信号受信品質がＡ５である場合において、Ａ１＞Ａ２＞Ａ３＞Ａ４＞Ａ５である場合に、ＳＳＢを送信するために使用される第１ビームがビーム２であり、ＳＳＢを送信するために使用される第２ビームがビーム３であり、ＳＳＢを送信するために使用される第３ビームがビーム５であり、ＳＳＢを送信するために使用される第４ビームがビーム７であり、ＳＳＢを送信するために使用される第５ビームがビーム８であるとすると、端末デバイスは、ＳＳＢを送信するために使用される第１ビームにおいてのみページング・メッセージをモニタリングしてもよく、他のビームでページング・メッセージをモニタリングする必要はない。これは、端末デバイスの消費電力を低減することに役立つ。この場合、端末デバイスは時間ユニット１においてのみページング・メッセージをモニタリングし、他の時間ユニットでページング・メッセージをモニタリングする必要はない。
【０１４８】
更に、端末デバイスは、代替的に、受信信号品質が上位ｎ位までにランクされるビームでページング・メッセージをモニタリングすることが可能であり、ｎの値は１以上の正の整数（例えば、ｎの値は３）である。ｎの値は事前に定められてもよいし、或いはネットワーク・デバイスによって決定されてもよい。それは限定されない。例えば、ｎの値は３である。この場合、端末デバイスは、ＳＳＢを送信するために使用される第１ビーム、第２ビーム、及び第３ビームの各々でページング・メッセージをモニタリングする。この場合、端末デバイスは、時間ユニット１、時間ユニット２、時間ユニット３の各々においてのみページング・メッセージをモニタリングし、他の時間ユニットでページング・メッセージをモニタリングする必要はない。
【０１４９】
本願のこの実施形態において、端末デバイスがネットワーク・デバイスとの通信に使用されるビームの量Ｍを決定する可能性のある実装は、以下の通りである：
【０１５０】
端末デバイスは、ネットワーク・デバイスにより同期信号ブロックを端末デバイスに送信するために実際に使用されるビームの量に基づいて、ネットワーク・デバイスとの通信に使用されるビームの量Ｍを決定する。
【０１５１】
例えば、１つのＳＳＢ周期でネットワーク・デバイスにより送信されるＳＳＢの最大量は６４であり、６４のＳＳＢはそれぞれビーム・インデックス０〜６３に対応する。しかしながら、１つの端末デバイスについて、ＳＳＢは、ネットワーク・デバイスによって６４ビームのうちの幾つかのビームで送信される可能性がある。ネットワーク・デバイスが、ビーム・インデックスが２、３、５、７、８であるビームでＳＳＢを端末デバイスに送信する場合、端末デバイスは、ＳＳＢを端末デバイスに送信するためにネットワーク・デバイスにより実際に使用されるビームの量は５であることを判定し、ネットワーク・デバイスとの通信に使用されるビームの量は５であると判定する。
【０１５２】
ネットワーク・デバイスとの通信に使用されるビームの量Ｍを端末デバイスが決定する別の可能な実装は、以下の通りである：
【０１５３】
端末デバイスは、ネットワーク・デバイスにより送信されたビーム設定情報を受信し、ビーム設定情報はネットワーク・デバイスとの通信に使用されるビームの量を示し、或いはビーム設定情報は１つのビームでページング・メッセージをモニタリングする持続時間を示す。次いで、端末デバイスは、ビーム設定情報に基づいて、ネットワーク・デバイスとの通信に使用されるビームの量Ｍを決定する。
【０１５４】
例えば、ネットワーク・デバイスとの通信に使用されるビームの量がＭであることをビーム設定情報が示す場合、端末デバイスは、ネットワーク・デバイスとの通信に使用されるビームの量がＭであると判断する。別の例として、実装を簡易化するために、各ビームでページング・メッセージをモニタリングする持続時間が同じであることが、事前に定められる。ビーム設定情報が、１つのビームでページング・メッセージをモニタリングするための持続時間はＬであることを示し、且つＮ個の時間ドメイン・リソースの持続時間がＫである場合、端末デバイスは、ネットワーク・デバイスとの通信に使用されるビームの量ＭはＫ／Ｌであると判断する。
【０１５５】
また、本願のこの実施形態において、ビームでページング・メッセージをモニタリングする持続時間が異なる場合、ネットワーク・デバイスは、各ビームでページング・メッセージをモニタリングする持続時間を指示することを必要とする。
【０１５６】
図９は、本願の実施形態による別のページング・メッセージ・モニタリング方法の概略フローチャートである。具体的には、以下のステップが含まれる。
【０１５７】
ステップ９１０：ネットワーク・デバイスが、周波数ドメイン設定情報を生成する。周波数ドメイン設定情報は、Ｑ個の周波数ドメイン・リソースを示すために使用され、Ｑは１以上の正の整数である。
【０１５８】
本願のこの実施形態における周波数ドメイン・リソースは、帯域幅パート（ｂａｎｄｗｉｄｔｈ  ｐａｒｔ，ＢＷＰ）、物理リソース・ブロック（ｐｈｙｓｉｃａｌ  ｒｅｓｏｕｒｃｅ  ｂｌｏｃｋ，ＰＲＢ）などであってもよいことが理解されるべきである。それは限定されない。本願のこの実施形態におけるＱ個の周波数ドメイン・リソースは、連続的な周波数ドメイン・リソースであってもよいし、或いは非連続的な周波数ドメイン・リソースであってもよい。それは限定されない。
【０１５９】
Ｑ個の周波数ドメイン・リソースは、ネットワーク・デバイスによって設定され且つページング・メッセージをモニタリングするために使用される周波数ドメイン・リソースである。異なるセルが、同じ周波数ドメイン・リソースを共有してもよい。例えば、周波数ドメイン・リソース１は、セル１及びセル２によって共有される。この場合、セル１の端末デバイスとセル２の端末デバイスの両方が、ネットワーク・デバイスによって送信されたページング・メッセージを、周波数ドメイン・リソース１において検出することができる。この場合、周波数ドメイン・リソース１により使用されるＰＣＩは、セル１及びセル２における端末デバイスに通知されることを必要とする。通常、セル１及びセル２における端末デバイスは、ＰＣＩを使用することにより、周波数ドメイン・リソース１でページング・メッセージをモニタリングすることができる。
【０１６０】
ステップ９２０：ネットワーク・デバイスが、周波数ドメイン設定情報を、端末デバイスに送信する。
【０１６１】
ステップ９３０：ネットワーク・デバイスにより送信された周波数ドメイン設定情報を受信した後に、端末デバイスが、Ｑ個の周波数ドメイン・リソースに基づいて、ページング・メッセージをモニタリングするために使用される周波数ドメイン・リソースを決定し、ページング・メッセージをモニタリングするために使用される決定された周波数ドメイン・リソースにおいて、ページング・オケージョン内でページング・メッセージをモニタリングする。
【０１６２】
端末デバイスが決定された周波数ドメイン・リソースに基づいてページング・メッセージをモニタリングすることは、ページングに使用される識別子（例えば、Ｐ−ＲＮＴＩ）が、決定された周波数ドメイン・リソースにおけるＰＤＣＣＨに存在するかどうかを、端末デバイスがモニタリングすることを意味する。端末デバイスが、ＰＤＣＣＨにおいて、ページングに使用される識別子を検出した場合、端末デバイスは、ＰＤＣＣＨを読み取り、ＰＤＣＣＨの内容に基づいて、対応するＰＤＳＣＨがページング・メッセージを運んでいるかどうかを決定し、ＰＤＳＣＨがページング・メッセージを運んでいる場合、対応するＰＤＳＣＨでページング・メッセージを受信する。端末デバイスによって決定され且つページング・メッセージをモニタリングするために使用される周波数ドメイン・リソースは、Ｑ個の周波数ドメイン・リソースの１つであってもよいし、或いは初期周波数ドメイン・リソースであってもよい。初期周波数ドメイン・リソースは、システム情報を端末デバイスに送信するためにネットワーク・デバイスにより使用される周波数ドメインリソースである。
【０１６３】
例えば、ページング・メッセージをモニタリングするために使用される周波数ドメイン・リソースは、ネットワーク・デバイスによって設定されるＱ個の周波数ドメイン・リソースの１つであってもよいし、或いは初期周波数ドメイン・リソースであってもよい。オプションとして、ネットワーク・デバイスは、周波数ドメイン設定情報を生成するために、ネットワーク・デバイスがページング・メッセージを送信するために必要とする周波数ドメイン・リソースの量と、システム情報を送信するために使用される周波数ドメイン・リソースとに基づいて、ページング・メッセージをモニタリングするために使用される周波数ドメイン・リソースを設定してもよい。例えば、ネットワーク・デバイスは、ページング・オケージョンにおける１つの周波数ドメイン・リソースで、６０台の端末デバイスに対するページング・メッセージを送信することができる。ネットワーク・デバイスがページング・オケージョンにおいて２４０台の端末デバイスに対するページング情報を送信することを必要とする場合、４つの周波数ドメイン・リソースが必要とされる。従って、初期周波数ドメイン・リソースに加えて、ネットワーク・デバイスは更に３つの追加的な周波数ドメイン・リソースを設定する必要がある。従って、ネットワーク・デバイスによって生成される周波数ドメイン設定情報は、３つの周波数ドメイン・リソースを示すことを必要とする。ページング・オケージョンは端末デバイスがページング・メッセージをモニタリングする時間ドメイン・リソースを含むことに留意されたい。ページング・オケージョンの設定方法は、図２に示されるページング・メッセージ・モニタリング方法におけるページング・オケージョンの設定方法であってもよいし、或いはロング・ターム・エボリューション（ｌｏｎｇ  ｔｅｒｍ  ｅｖｏｌｕｔｉｏｎ，ＬＴＥ）におけるページング・オケージョンの設定方法であってもよい。
【０１６４】
別の例として、ページング・メッセージをモニタリングするために使用される周波数ドメイン・リソースは、ネットワーク・デバイスによって設定されるＱ個の周波数ドメイン・リソースの１つである。例えば、ネットワーク・デバイスは、ページング・オケージョンにおける１つの周波数ドメイン・リソースで６０台の端末デバイスに対するページング・メッセージを送信することができる。ネットワーク・デバイスがページング・オケージョンにおいて２４０台の端末デバイスに対するページング情報を送信することを必要とする場合、４つの周波数ドメイン・リソースが必要とされる。従って、ネットワーク・デバイスにより生成される周波数ドメイン設定情報は、４つの周波数ドメイン・リソースを指定することを必要とする。
【０１６５】
本願のこの実施形態では、ページング・メッセージは、周波数ドメイン・リソースを設定することによってモニタリングされることが可能である。これは、端末デバイスによりページング・メッセージをモニタリングすることの柔軟性を改善する。更に、端末デバイスは、ページング・メッセージをモニタリングするために使用される決定されたリソースのみにおいて、ページング・メッセージをモニタリングする。これは端末デバイスの消費電力を低減することに役立つ。
【０１６６】
更に、本願のこの実施形態においてページング・メッセージをモニタリングするために使用される周波数ドメイン・リソースは、異なるセルによって共有されてもよいし、或いは１つのセルのみによって使用されてもよい。それは限定されない。
【０１６７】
例えば、Ｍの値は８である。例えば、図１０に示すように、周波数ドメイン設定情報によって示される周波数ドメイン・リソースは、Ｐ０、Ｐ１、Ｐ２、Ｐ３、Ｐ４、Ｐ５、Ｐ６、及びＰ７である。Ｐ４、Ｐ５、Ｐ６、Ｐ７はセル（ｃｅｌｌ）１に対応し、Ｐ２、Ｐ３、Ｐ４、Ｐ５はセル２に対応し、Ｐ０、Ｐ１、Ｐ２、Ｐ３はセル３に対応する。セル１の場合、端末デバイスは、Ｐ４、Ｐ５、Ｐ６、及びＰ７でＳＳＢ１を送信する。セル２の場合、端末デバイスは、Ｐ２、Ｐ３、Ｐ４、及びＰ５でＳＳＢ２を送信する。セル３の場合、端末デバイスは、Ｐ０、Ｐ１、Ｐ２、及びＰ３でＳＳＢ３を送信する。
【０１６８】
Ｐ４及びＰ５はセル１及びセル２により共有されていることを、図１０から学ぶことができる。端末デバイスがセル１又はセル２にある場合、端末デバイスは、ページング・メッセージの有無をＰ４及びＰ５でモニタリングすることができる。Ｐ２及びＰ３はセル２及びセル３で共有されている。端末デバイスがセル２又はセル３にある場合、端末デバイスは、ページング・メッセージの有無をＰ２及びＰ３でモニタリングすることができる。
【０１６９】
ページング・メッセージをモニタリングするために使用される周波数ドメイン・リソースを決定するオプションの方法は、以下の通りである：
【０１７０】
端末デバイスは、端末デバイスの識別子とＱ個の周波数ドメイン・リソース各々に対応するインデックスとに基づいて、ページング・メッセージをモニタリングするために使用される周波数ドメイン・リソースを決定する。ページング・メッセージをモニタリングするために使用される周波数ドメイン・リソースに関連付けられるインデックス及び端末デバイスの識別子は、事前に設定された関係に適合する。Ｑ個の周波数ドメイン・リソース各々に対応するインデックスは、周波数ドメイン設定情報を使用することにより、ネットワーク・デバイスから端末デバイスに通知されてもよい。周波数ドメイン・リソースは、インデックスに１対１に対応することに留意されたい。具体的には、Ｑ個の周波数ドメイン・リソース各々は１つのインデックスに対応し、周波数ドメイン・リソースは異なるインデックスに対応する。
【０１７１】
例えば、周波数ドメイン・リソースに対応するインデックス及び端末デバイスの識別子により充足される事前に設定された関係は以下を含む：
ｉｎｄｅｘ＝Ｐ  ｍｏｄ  Ｑ
【０１７２】
ｉｎｄｅｘは、ページング・メッセージをモニタリングするために使用される周波数ドメイン・リソースに対応するインデックスである。Ｐは、１つのページング・サイクルにおけるページング・オケージョンの量に対する、端末デバイスの識別子の比率である、或いはＰは端末デバイスの識別子が反転された後に得られる値である。Ｑは、ページング・メッセージ識別子（例えば、Ｐ−ＲＮＴＩ）を送信するために使用される周波数ドメイン・リソースの総量である。
【０１７３】
本願のこの実施形態において、端末デバイスの識別子は、国際移動加入者識別子（ｉｎｔｅｒｎａｔｉｏｎａｌ  ｍｏｂｉｌｅ  ｓｕｂｓｃｒｉｂｅｒ  ｉｄｅｎｔｉｆｉｃａｔｉｏｎ  ｎｕｍｂｅｒ，  ＩＭＳＩ）であってもよいことに留意されたい。代替的に、端末デバイスの識別子は、ＩＭＳＩ  ｍｏｄ  Ｘの結果であってもよく、ここで、Ｘは所定の正の整数である。代替的に、端末デバイスの識別子は、端末デバイス等を識別するために使用される所定の識別子であってもよい。それは限定されない。本願のこの実施形態では、ページング・サイクルは、ＤＲＸサイクル、所定のサイクルなどであってもよい。それは限定されない。本願のこの実施形態におけるページング・オケージョンは、ＬＴＥにおけるＰＯであってもよいし、或いは図２に示されるページング・メッセージ・モニタリング方法におけるＮ個の時間ドメイン・リソースであってもよい。これも本願のこの実施態様で限定されない。
【０１７４】
更に、本願のこの実施形態では、ネットワーク・デバイスが、周波数ドメイン・リソースに対する対応するインデックスを設定する場合に、同一の周波数ドメイン・リソースに対応するインデックスは、セル間・周波数ドメイン・リソースの共有をサポートするために、異なるセルで同一であるように設定されることを必要とし、異なるセルにキャンプしており同一のページング・グループに属する端末デバイス（この場合において、周波数ドメイン・リソースに対応するインデックスと同一の事前に設定された関係を充足する端末デバイス識別子によって識別される端末デバイスは、同一のページング・グループ内にある）が、同一の周波数ドメイン・リソースでモニタリングを実行できることを保証する。例えば、周波数ドメイン・リソースＲ１が、システム情報を使用することにより、セル１の端末デバイスに対して設定され、周波数ドメイン・リソースＲ１に対応するインデックスが１である場合において、周波数ドメイン・リソースＲ１が、システム情報を使用することにより、セル２の端末デバイスに対しても設定される場合、セル２の端末デバイスに対しても、周波数ドメイン・リソースＲ１に対応するインデックスは１であるべきである。このように、同一のページング・グループに属するセル１の端末デバイス及びセル２の端末デバイスが、周波数ドメイン・リソースＲ１でページング・メッセージをモニタリングできることを、保証することができる。
【０１７５】
オプションとして、ページング・メッセージをモニタリングするために使用される周波数ドメイン・リソースが、初期周波数ドメイン・リソースを更に含む場合、端末デバイスは、Ｑ個の周波数ドメイン・リソース各々に対応するインデックス、初期周波数ドメイン・リソースに対応するインデックス、及び端末デバイスの識別子に基づいて、ページング・メッセージをモニタリングするために使用される周波数ドメイン・リソースを決定する。ページング・メッセージをモニタリングするために使用される周波数ドメイン・リソースに関連付けられるインデックス及び端末デバイスの識別子は、事前に設定された関係を充足する。
【０１７６】
例えば、端末デバイスの識別子及び周波数ドメイン・リソースに対応するインデックスにより満たされる事前に設定された関係は以下を含む：
ｉｎｄｅｘ＝Ｐ  ｍｏｄ  （Ｑ＋１）
【０１７７】
ｉｎｄｅｘは、ページング・メッセージをモニタリングするために使用される周波数ドメイン・リソースに対応するインデックスである。Ｐは、１つのページング・サイクルにおけるページング・オケージョンの量に対する端末デバイスの識別子の比率であり、或いはＰは端末デバイスの識別子が反転された後に得られる値である。（Ｑ＋１）は、ページング・メッセージ識別子（例えば、Ｐ−ＲＮＴＩ）を送信するために使用される周波数ドメイン・リソースの総量である。
【０１７８】
初期周波数ドメイン・リソースに対応するインデックスに基づいて、ページング・メッセージは初期周波数ドメイン・リソースでモニタリングされることを必要とするかどうかを、端末デバイスが判断できるように、ネットワーク・デバイスは初期周波数ドメイン・リソースに対応するインデックスを割り当ててもよいことに留意されたい     。インデックスの値は、Ｑ個の周波数ドメイン・リソース各々のものとは異なる。
【０１７９】
本願のこの実施形態では、周波数ドメイン・リソースに対応するインデックスは暗黙的に設定されてもよい。例えば、Ｑ個の周波数ドメイン・リソース各々に対応するインデックスは、Ｑ個の周波数ドメイン・リソース内の周波数ドメイン・リソース各々の位置に基づいて決定される。例えば、Ｑ個の周波数ドメイン・リソース各々に対応するインデックスは、Ｑ個の周波数ドメイン・リソースにおける周波数ドメイン・リソースの位置を示すために使用される。別の例として、初期周波数ドメイン・リソースに対応するインデックスは、デフォルトで０に設定されてもよく、ネットワーク・デバイスは、端末デバイスにインデックスを指示することを必要としない。
【０１８０】
図１０に示す周波数ドメイン・リソースを一例として使用する。Ｐ１に対応するインデックスと端末デバイス１の識別子とが事前に設定された関係を充足する場合、端末デバイス１は、ページング・オケージョンでＰ１におけるページング・メッセージをモニタリングする。Ｐ３に対応するインデックスと端末デバイス２の識別子とが事前に設定された関係を充足する場合、端末デバイス２は、ページング・オケージョンでＰ３におけるページング・メッセージをモニタリングする。
【０１８１】
オプションとして、本願のこの実施形態では、周波数ドメイン設定情報は、Ｑ個の周波数ドメイン・リソースを示すために、Ｑ個の周波数ドメイン・リソース各々のキャリア及びＱ個の周波数ドメイン・リソース各々の帯域幅を含んでもよい。
【０１８２】
更に、オプションとして、ネットワーク・デバイスが周波数ドメイン・リソースの帯域幅を端末デバイスに指示しない場合、周波数ドメイン・リソースの帯域幅は、デフォルトによる初期周波数ドメイン・リソースの帯域幅と同じであってもよい。ネットワーク・デバイスが周波数ドメイン・リソースのキャリア及び帯域幅を端末デバイスに指示しない場合、Ｑ個の周波数ドメイン・リソースは、デフォルトで連続的に配置され、周波数ドメイン・リソースの帯域幅は、デフォルトによる初期周波数ドメインリソースの帯域幅と同じである。例えば、端末デバイスは、初期周波数ドメイン・リソースの周波数ドメイン位置に基づいて、Ｑ個の周波数ドメイン・リソース各々の位置を計算することができる。例えば、Ｘ番目の周波数ドメイン・リソースの中心位置＝初期周波数ドメイン・リソースの周波数ドメイン中心位置＋初期周波数ドメイン・リソースの帯域幅＊Ｘである。
【０１８３】
更に、オプションとして、周波数ドメイン設定情報は、Ｑ個の周波数ドメイン・リソース各々の制御リソース・セット、Ｑ個の周波数ドメインリソース各々に対応するサーチ・スペース、及びＱ個の周波数ドメイン・リソース各々と物理セル識別子（ｐｈｙｓｉｃａｌ  ｃｅｌｌ  ｉｄｅｎｔｉｆｉｅｒ，ＰＣＩ）との間の対応関係、のうちの少なくとも１つを更に含み、端末デバイスがページング・メッセージをより正確にモニタリングすることを可能にする。
【０１８４】
端末デバイスは、周波数ドメイン・リソースの制御リソース・セット、周波数ドメイン・リソースのサーチ・スペース、及び周波数ドメイン・リソースに対応するＰＣＩ、のうちの少なくとも１つに基づいて、少なくとも１つの周波数ドメイン・リソースでページング・メッセージをモニタリングする。
【０１８５】
端末デバイスがＰＤＣＣＨ検出を実行する時間−周波数リソースを指定するために制御リソース・セット（ＣＯＲＲＥＳＥＴ）が使用され、ＰＤＣＣＨ検出を実行するために端末デバイスにより使用されるべきＰＤＣＣＨフォーマット及びアグリゲーション・レベルのような情報を示すために、サーチ・スペースが使用される。
【０１８６】
例えば、Ｘ番目の周波数ドメイン・リソースのキャリア及び帯域幅を決定した後に、端末デバイスは、キャリア及び帯域幅に基づいて、周波数ドメイン・リソースを受信するためのＢＷＰを決定する。端末デバイスは、ＢＷＰ及び制御リソース・セット（ＣＯＲＲＥＳＥＴ）の設定に基づいて、モニタリングされることを必要とするＰＤＣＣＨの時間−周波数ドメイン位置を決定する。次いで、端末デバイスは、サーチ・スペースによって指定され且つ端末デバイスによるＰＤＣＣＨ検出を実行するために使用されるアグリゲーション・レベルを使用することにより、ＰＤＣＣＨサーチを実行する。サーチ・スペースが設定されていない場合、端末デバイスはデフォルトのアグリゲーション・レベルを使用することによりＰＤＣＣＨサーチを実行することができる。Ｐ−ＲＮＴＩを運んでいるＰＤＣＣＨを検出した後、端末デバイスは、ＰＤＣＣＨによって示され且つＰＤＳＣＨに関連する情報に基づいて、ＰＤＳＣＨを読み取り、ＰＤＳＣＨからページング・メッセージを読み取り、ページング・メッセージに基づいて、端末デバイスがページングされているかどうかを決定する。ＰＤＳＣＨを読む込む場合に、端末デバイスは、ページングのための周波数ドメイン・リソースに関連付けられた設定されたＰＣＩを使用することによって、スクランブル解除を実行する必要がある。Ｐ−ＲＮＴＩを運んでいるＰＤＣＣＨが検出されない場合、今のところページングは存在しないと考えられ、次のページング・サイクルで再度モニタリングが実行される。
【０１８７】
図１０を一例として使用する。端末デバイスがＰ５におけるページング・メッセージをモニタリングする場合、Ｐ５はセル１及びセル２によって共有される周波数ドメイン・リソースであるので、Ｐ５でページング・メッセージをモニタリングするために端末デバイスによって使用されるＰＣＩは、セル１のＰＣＩ又はセル２のＰＣＩである可能性がある。例えば、周波数ドメイン設定情報がセル１のＰＣＩを含む場合、Ｐ５でページング・メッセージをモニタリングするために端末デバイスにより使用されるＰＣＩは、セル１のＰＣＩである。別の例として、周波数ドメイン設定情報がセル２のＰＣＩを含む場合、Ｐ５でページング・メッセージをモニタリングするために端末デバイスにより使用されるＰＣＩは、セル２のＰＣＩである。
【０１８８】
様々な技術的効果を達成するために、本願の様々な実装はランダムに組み合わされてもよい。
【０１８９】
本願で提供される前述の実施形態において、本願の実施形態で提供される方法が、ネットワーク・デバイスと端末デバイスとの相互作用の観点から別途説明される。本願の実施形態において提供される前述の方法における機能を実現するために、基地局及び端末デバイスはそれぞれ、ハードウェア構造及び／又はソフトウェア・モジュールを含み、ハードウェア構造、ソフトウェア・モジュール、又はハードウェア構造及びソフトウェア・モジュールの組み合わせの形態で前述の機能を実現することができる。機能のうちの或る機能がハードウェア構造、ソフトウェア・モジュール、又はハードウェア構造及びソフトウェア・モジュールの組み合わせを利用することによって実行されるかどうかは、特定のアプリケーション及び技術的ソリューションの設計制約条件に依存する。
【０１９０】
同一の概念に基づいて、図２に示されるページング・メッセージ・モニタリング方法において、端末デバイスにより実行される方法を実行するように構成された通信装置は、同様な機能を実装する端末デバイス又はハードウェアである可能性がある。方法は以下を含む：
【０１９１】
通信装置は、ネットワーク・デバイスにより送信されたページング・オケージョン設定情報を受信し、ネットワーク・デバイスにより送信されたページング・メッセージを、Ｎ個の時間ドメイン・リソースに基づいてモニタリングする。ページング・オケージョン設定情報は、ページング・オケージョンにおけるＮ個の時間ドメイン・リソースを示し、Ｎは１以上の正の整数である。
【０１９２】
オプションとして、ページング・オケージョン設定情報は、以下の情報：時間ドメイン・リソースの量；時間ドメイン・リソース各々の持続時間；２つの隣接する時間ドメイン・リソースごとの間のインターバルの持続時間；及び時間ドメイン位置オフセット情報のうちの少なくとも１つを含む。時間ドメイン位置オフセット情報は、第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【０１９３】
オプションとして、時間ドメイン位置オフセット情報は第１オフセット情報と第２オフセット情報とを含む。第１オフセット情報は、第２時間ドメイン位置に対するページング・オケージョンの開始位置のオフセットを示し；第２オフセット情報はページング・オケージョンの開始位置に対する第１時間ドメイン位置のオフセットを示す。
【０１９４】
オプションとして、通信装置は、ネットワーク・デバイスとの通信に使用されるビームの量Ｍを決定し、Ｍは１以上の正の整数であり；通信装置は、Ｎ個の時間ドメイン・リソースをＭ個の時間ユニットに分割し、Ｍ個のビームの各々はＭ個の時間ユニットの１つに対応し、Ｍ個のビームは異なる時間ユニットに対応し；そして、通信装置は、ネットワーク・デバイスにより送信されたページング・メッセージを、Ｍ個のビームにおける少なくとも１つのビームの各々に対応する時間ユニットでモニタリングする。
【０１９５】
オプションとして、通信装置は、ネットワーク・デバイスとの通信に使用されるビームの量Ｍを、同期信号ブロックを通信装置に送信するためにネットワーク・デバイスにより実際に使用されるビームの量に基づいて決定する。
【０１９６】
オプションとして、通信装置は、ネットワーク・デバイスにより送信されたビーム設定情報を受信し、ビーム設定情報はネットワーク・デバイスとの通信に使用されるビームの量を示し、或いはビーム設定情報は１つのビームにおいてページング・メッセージをモニタリングする持続時間を示し；そして、通信装置は、ネットワーク・デバイスとの通信に使用されるビームの量Ｍを、ビーム設定情報に基づいて決定する。
【０１９７】
オプションとして、通史装置は、Ｍ個のビームの各々に対応する信号受信品質に基づいて、Ｍ個のビームにおける少なくとも１つのビームを決定する。
【０１９８】
同一の概念に基づいて、図２に示されるページング・メッセージ・モニタリング方法において、ネットワーク・デバイスにより実行される方法を実行するように構成された通信装置は、同様な機能を実装するネットワーク・デバイス又はハードウェアである可能性がある。方法は以下を含む：
【０１９９】
通信装置は、ページング・オケージョン設定情報を生成し、ページング・オケージョン設定情報を端末デバイスに送信し、ページング・オケージョン設定情報はＮ個の時間ドメイン・リソースを示す。ページング・オケージョン設定情報は、ページング・オケージョンにおけるＮ個の時間ドメイン・リソースを示し、Ｎは１以上の正の整数である。
【０２００】
オプションとして、ページング・オケージョン設定情報は、以下の情報：時間ドメイン・リソースの量；時間ドメイン・リソース各々の持続時間；２つの隣接する時間ドメイン・リソースごとの間のインターバルの持続時間；及び時間ドメイン位置オフセット情報のうちの少なくとも１つを含む。時間ドメイン位置オフセット情報は、第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【０２０１】
オプションとして、時間ドメイン位置オフセット情報は第１オフセット情報と第２オフセット情報とを含む。第１オフセット情報は、第２時間ドメイン位置に対するページング・オケージョンの開始位置のオフセットを示し；第２オフセット情報はページング・オケージョンの開始位置に対する第１時間ドメイン位置のオフセットを示す。
【０２０２】
オプションとして、通信装置は、ビーム設定情報を端末デバイスへ送信し、ビーム設定情報は通信装置との通信に使用されるビームの量を示す、或いはビーム設定情報は１つのビームにおいてページング・メッセージをモニタリングする持続時間を示す。
【０２０３】
同一の概念に基づいて、図９に示されるページング・メッセージ・モニタリング方法において、端末デバイスにより実行される方法を実行するように構成された通信装置は、同様な機能を実装する端末デバイス又はハードウェアである可能性がある。方法は以下を含む：
【０２０４】
通信装置は、ネットワーク・デバイスにより送信された周波数ドメイン設定情報を受信し、周波数ドメイン設定情報はＱ個の周波数ドメイン・リソースを示し、Ｑは１以上の正の整数であり；及び
通信装置は、ページング・メッセージをモニタリングするために使用される周波数ドメイン・リソースを、Ｑ個の周波数ドメイン・リソースに基づいて決定し；ネットワーク・デバイスによって送信されたページング・メッセージを、ページング・オケージョンにおける決定された周波数ドメイン・リソースに基づいてモニタリングする。
【０２０５】
オプションとして、周波数ドメイン設定情報は、Ｑ個の周波数ドメイン・リソース各々に対応するインデックスを更に示し；通史装置は、Ｑ個の周波数ドメイン・リソースに対応するインデックス及び通信装置の識別子に基づいて、ページング・メッセージをモニタリングするために使用される周波数ドメイン・リソースを決定し、通信装置の識別子とページング・メッセージをモニタリングするために使用される周波数ドメイン・リソースに対応するインデックスとは、事前に設定された関係を充足する。
【０２０６】
オプションとして、通史装置の識別子とページング・メッセージをモニタリングするために使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために使用される周波数ドメイン・リソースに対応するインデックスであり、Ｐは、１つのページング・サイクルにおけるページング・オケージョンの量に対する、通信装置の識別子の比率である、或いはＰは通信装置の識別子が反転された後に得られる値である。
【０２０７】
オプションとして、周波数ドメイン設定情報は、Ｑ個の周波数ドメイン・リソース各々のキャリアと、Ｑ個の周波数ドメイン・リソース各々の帯域幅とを含む。
【０２０８】
オプションとして、周波数ドメイン設定情報は、Ｑ個の周波数ドメイン・リソース各々の制御リソース・セット、Ｑ個の周波数ドメイン・リソース各々に対応するサーチ・スペース、Ｑ個の周波数ドメイン・リソース各々と物理セル識別子ＰＣＩとの間の対応関係のうちの少なくとも１つを更に含み；通信装置は、周波数ドメイン・リソースの制御リソース・セット、周波数ドメイン・リソースのサーチ・スペース、及び周波数ドメイン・リソースに対応するＰＣＩのうちの少なくとも１つに基づいて、ページング・オケージョンにおけるページング・メッセージを、ページング・メッセージをモニタリングするために使用される周波数ドメイン・リソース上でモニタリングする。
【０２０９】
同一の概念に基づいて、図９に示されるページング・メッセージ・モニタリング方法において、ネットワーク・デバイスにより実行される方法を実行するように構成された通信装置は、同様な機能を実装するネットワーク・デバイス又はハードウェアである可能性がある。方法は以下を含む：
【０２１０】
通信装置は、周波数ドメイン設定情報を生成し、周波数ドメイン設定情報は、Ｑ個の周波数ドメイン・リソースを示し、Ｑは１以上の正の整数であり；そして、通信装置は、周波数ドメイン設定情報を端末デバイスに送信する。
【０２１１】
可能な設計において、周波数ドメイン設定情報は、Ｑ個の周波数ドメイン・リソース各々に対応するインデックスを更に示し、端末デバイスの識別子とページング・メッセージをモニタリングするために端末デバイスにより使用される周波数ドメイン・リソースに対応するインデックスとは、事前に設定された関係を充足する。
【０２１２】
可能な設計において、端末デバイスの識別子とページング・メッセージをモニタリングするために端末デバイスにより使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために端末デバイスにより使用される周波数ドメイン・リソースに関連付けられるインデックスであり、Ｐは、１つのページング・サイクルにおけるページング・オケージョンの量に対する、端末デバイスの識別子の比率である、或いはＰは端末デバイスの識別子が反転された後に得られる値である。
【０２１３】
可能な設計において、周波数ドメイン・リソース設定情報は、Ｑ個の周波数ドメイン・リソース各々のキャリアとＱ個の周波数ドメイン・リソース各々の帯域幅とを含む。
【０２１４】
可能な設計において、周波数ドメイン設定情報は、Ｑ個の周波数ドメイン・リソース各々の制御リソース・セット、Ｑ個の周波数ドメイン・リソース各々に対応するサーチ・スペース、及びＱ個の周波数ドメイン・リソース各々と物理セル識別子ＰＣＩとの間の対応関係のうちの少なくとも１つを更に含む。
【０２１５】
同一の概念に基づいて、本願の実施形態は通信装置を提供する。通信装置は、図２に示されるページング・メッセージ・モニタリング方法における端末デバイスの機能を実現する。通信装置は、端末であってもよいし、又は同様な機能を実装するハードウェアである可能性がある。通信装置は、以下を含む：
【０２１６】
通信装置は、トランシーバ・ユニットと処理ユニットとを含む。トランシーバ・ユニットは、ネットワーク・デバイスにより送信されたページング・オケージョン設定情報を受信するように構成されており、ページング・オケージョン設定情報はページング・オケージョンにおけるＮ個の時間ドメイン・リソースを示し、Ｎは１以上の正の整数であり；処理ユニットは、ネットワーク・デバイスにより送信されたページング・メッセージをＮ個の時間ドメイン・リソースに基づいてモニタリングするように構成されている。
【０２１７】
オプションとして、ページング・オケージョン設定情報は、以下の情報：時間ドメイン・リソースの量；時間ドメイン・リソース各々の持続時間；２つの隣接する時間ドメイン・リソースごとの間のインターバルの持続時間；及び時間ドメイン位置オフセット情報のうちの少なくとも１つを含む。時間ドメイン位置オフセット情報は第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【０２１８】
オプションとして、時間ドメイン位置オフセット情報は第１オフセット情報と第２オフセット情報とを含む。第１オフセット情報は第２時間ドメイン位置に対するページング・オケージョンの開始位置のオフセットを示す。第２オフセット情報はページング・オケージョンの開始位置に対する第１時間ドメイン位置のオフセットを示す。
【０２１９】
オプションとして、処理ユニットは更に：ネットワーク・デバイスとの通信に使用されるビームの量Ｍを決定し、Ｎ個の時間ドメイン・リソースをＭ個の時間ユニットに分割するように構成されており、Ｍは１以上の正の整数であり、Ｍ個のビームの各々はＭ個の時間ユニットの１つに対応し、Ｍ個のビームは異なる時間ユニットに対応し；及び、処理ユニットは、ネットワーク・デバイスにより送信されたページング・メッセージを、Ｍ個のビームにおける少なくとも１つのビームの各々に対応する時間ユニットでモニタリングするように構成されている。
【０２２０】
オプションとして、処理ユニットは、ネットワーク・デバイスとの通信に使用されるビームの量Ｍを、同期信号ブロックを端末デバイスに送信するためにネットワーク・デバイスにより実際に使用されるビームの量に基づいて、決定するように構成されている。
【０２２１】
オプションとして、トランシーバ・ユニットは更に：ネットワーク・デバイスにより送信されたビーム設定情報を受信するように構成されており、ビーム設定情報はネットワーク・デバイスとの通信に使用されるビームの量を示し、或いはビーム設定情報は１つのビームにおいてページング・メッセージをモニタリングする持続時間を示し；処理ユニットは、ネットワーク・デバイスとの通信に使用されるビームの量Ｍを、ビーム設定情報に基づいて決定するように構成されている。
【０２２２】
オプションとして、処理ユニットは更に：Ｍ個のビームの各々に対応する信号受信品質に基づいて、Ｍ個のビームにおける少なくとも１つのビームを決定するように構成されている。
【０２２３】
通信装置は、本願の実施形態において、図２に示されるページング・メッセージ・モニタリング方法における端末デバイスによって実行されるステップを実現するように構成されてもよいことが理解されるべきである。関連する機能については、前述の説明を参照されたい。詳細はここで再度説明しない。
【０２２４】
この実施形態における通信装置が端末デバイスである場合は、図１１に示されるデバイスを参照されたい。デバイスは、プロセッサ１１０１、アプリケーション・プロセッサ、メモリ、ユーザー・インターフェース、及び幾つかの他の構成要素（図示されていない電源などのデバイスを含む）を含む。図１１において、プロセッサ１１０１は、処理ユニットであってもよく、対応する機能を完了する。図中の無線トランシーバ１１０３は、トランシーバ・ユニットであってもよく、アンテナを使用することによって、対応する機能を完了する。図に示された構成要素は単なる例であり、この実施形態を完成させるために必須の構成要素ではないことが理解されるであろう。
【０２２５】
この実施形態における通信装置が端末デバイスである場合には、図１２に示されるデバイスを参照されたい。一例において、デバイスは、図１１におけるプロセッサの機能に類似する機能を実装することが可能である。図１２において、デバイスは、プロセッサ、データ送信プロセッサ、及びデータ受信プロセッサを含む。図１２において、プロセッサ１２０１は、処理ユニットであってもよく、対応する機能を完了する。トランシーバ・ユニットは、図１２におけるデータ送信プロセッサ１２０３及びデータ受信プロセッサ１２０５を含む。図はチャネル・エンコーダ及びチャネル・デコーダを示しているが、これらのモジュールは単なる例であり、この実施形態での限定を構成するものではないことを理解することができる。
【０２２６】
図１３は、この実施形態における別の形態の通信装置を示す。処理装置１３００は、変調サブシステム、中央処理サブシステム、及びペリフェラル・サブシステムなどのモジュールを含む。この実施形態における通信装置は、処理装置１３００における変調サブシステムとして使用されてもよい。具体的には、変調サブシステムは、プロセッサ１３０３及びインターフェース１３０４を含んでもよい。プロセッサ１３０３は、処理ユニットの機能を完了し、インターフェース１３０４は、トランシーバ・ユニットの機能を完了する。別の変形例において、変調サブシステムは、メモリ１３０６と、プロセッサ１３０３と、メモリに格納され且つプロセッサ上で動作することが可能なプログラムとを含む。プロセッサがプログラムを実行すると、図２に示すページング・メッセージ・モニタリング方法において端末デバイスにより実行されるステップが実現される。メモリ１３０６は、不揮発性メモリであってもよいし、或いは揮発性メモリであってもよいことに留意されたい。メモリ１３０６は、変調サブシステム内に配置されてもよいし、或いはメモリ１３０６がプロセッサ１３０３に接続されることが可能であることを条件として、処理装置１３００内に配置されてもよい。
【０２２７】
この実施形態の別の形態では、コンピュータ読み取り可能な記憶媒体が提供される。コンピュータ読み取り可能な記憶媒体は命令を記憶し：命令が実行されると、本願の実施形態におけるページング・メッセージ・モニタリング方法が実現される。
【０２２８】
同一の概念に基づいて、本願の実施形態は通信装置を提供する。通信装置は、図２に示すページング・メッセージ・モニタリング方法におけるネットワーク・デバイスの機能を実現する。通信装置は、ネットワーク・デバイスであってもよいし、或いは同様な機能を実装するハードウェアであってもよい。図１４に示すように、本願のこの実施形態の通信装置１４００は、処理ユニット１４０１及びトランシーバ・ユニット１４０２を含む。処理ユニット１４０１は、ページング・オケージョン設定情報を生成するように構成されており、ページング・オケージョン設定情報はページング・オケージョンにおけるＮ個の時間ドメインのリソースを示し、Ｎは１以上の正の整数であり；トランシーバ・ユニット１４０２は、ページング・オケージョン設定情報を端末デバイスに送信するように構成されており、ページング・オケージョン設定情報はＮ個の時間ドメインのリソースを示す。
【０２２９】
オプションとして、ページング・オケージョン設定情報は、以下情報：時間ドメイン・リソースの量、時間ドメイン・リソース各々の持続時間、２つの隣接する時間ドメイン・リソースの間のインターバルの持続時間、及び時間ドメイン位置オフセット情報のうちの少なくとも１つを含む。時間ドメイン位置オフセット情報は、第２時間ドメイン位置に対する第１時間ドメイン位置のオフセットを示し、第１時間ドメイン位置は時間シーケンスで最初にランクしている時間ドメイン・リソースの開始位置であり、第２時間ドメイン位置は同期信号ブロックにおける任意の時間ドメイン位置である、或いは第２時間ドメイン位置はページング・フレームの開始時間ドメイン位置である。
【０２３０】
オプションとして、時間ドメイン位置オフセット情報は第１オフセット情報と第２オフセット情報とを含む。第１オフセット情報は、第２時間ドメイン位置に対するページング・オケージョンの開始位置のオフセットを示す。第２オフセット情報はページング・オケージョンの開始位置に対する第１時間ドメイン位置のオフセットを示す。
【０２３１】
オプションとして、トランシーバ・ユニット１４０２は、ビーム設定情報を端末デバイスへ送信するように更に構成されており、ビーム設定情報はネットワーク・デバイスとの通信に使用されるビームの量を示す、或いはビーム設定情報は１つのビームにおいてページング・メッセージをモニタリングする持続時間を示す。
【０２３２】
この実施形態における通信装置がネットワーク・デバイスである場合は、図１５に示されるデバイスを参照されたい。デバイスは、プロセッサ１５０１、アプリケーション・プロセッサ、メモリ、ユーザー・インターフェース、及び幾つかの他の構成要素（図示されていない電源などのデバイスを含む）を含む。図１５において、プロセッサ１５０１は、処理ユニットであってもよく、対応する機能を完了する。図中の無線トランシーバ１５０３は、トランシーバ・ユニットであってもよく、アンテナを使用することによって、対応する機能を完了する。図に示された構成要素は単なる例であり、この実施形態を完成させるために必須の構成要素ではないことが理解されるであろう。
【０２３３】
この実施形態における通信装置がネットワーク・デバイスである場合には、図１６に示されるデバイスを参照されたい。一例において、デバイスは、図１５におけるプロセッサの機能に類似する機能を実装することが可能である。図１６において、デバイスは、プロセッサ、データ送信プロセッサ、及びデータ受信プロセッサを含む。図１６において、プロセッサ１６０１は、処理ユニットであってもよく、対応する機能を完了する。図１６におけるデータ送信プロセッサ１６０３及びデータ受信プロセッサ１６０５は、トランシーバ・ユニットであってもよい。図はチャネル・エンコーダ及びチャネル・デコーダを示しているが、これらのモジュールは単なる例であり、この実施形態での限定を構成するものではないことを理解することができる。
【０２３４】
図１７は、この実施形態における別の形態の通信装置を示す。処理装置１７００は、変調サブシステム、中央処理サブシステム、及びペリフェラル・サブシステムなどのモジュールを含む。この実施形態における通信装置は、処理装置１７００における変調サブシステムとして使用されてもよい。具体的には、変調サブシステムは、プロセッサ１７０３及びインターフェース１７０４を含んでもよい。プロセッサ１７０３は、処理ユニットの機能を完了し、インターフェース１７０４は、トランシーバ・ユニットの機能を完了する。別の変形例において、変調サブシステムは、メモリ１７０６と、プロセッサ１７０３と、メモリに格納され且つプロセッサ上で動作することが可能なプログラムとを含む。プロセッサがプログラムを実行すると、図２に示すページング・メッセージ・モニタリング方法が実現される。メモリ１７０６は、不揮発性メモリであってもよいし、或いは揮発性メモリであってもよいことに留意されたい。メモリ１７０６は、変調サブシステム内に配置されてもよいし、或いはメモリ１７０６がプロセッサ１７０３に接続されることが可能であることを条件として、処理装置１７００内に配置されてもよい。
【０２３５】
この実施形態の別の形態では、コンピュータ読み取り可能な記憶媒体が提供される。コンピュータ読み取り可能な記憶媒体は命令を記憶し：命令が実行されると、図２に示されるページング・メッセージ・モニタリング方法により実行されるステップが実現される。
【０２３６】
同一の概念に基づいて、本願の実施形態は通信装置を提供する。通信装置は、図９に示すページング・メッセージ・モニタリング方法における端末デバイスの機能を実現する。通信装置は、端末であってもよいし、或いは同様な機能を実装するハードウェアであってもよい。通信装置は処理部及びトランシーバ・ユニットを含む。トランシーバ・ユニットは、ネットワーク・デバイスにより送信された周波数ドメイン設定情報を受信するように構成されており、周波数ドメイン設定情報はＱ個の周波数ドメイン・リソースを示し、Ｑは１以上の正の整数であり；処理ユニットは、ページング・メッセージをモニタリングするために使用される周波数ドメイン・リソースを、Ｑ個の周波数ドメイン・リソースに基づいて決定し；ネットワーク・デバイスによって送信されたページング・メッセージを、ページング・オケージョンにおける決定された周波数ドメイン・リソースに基づいてモニタリングするように構成されている。
【０２３７】
オプションとして、周波数ドメイン設定情報は、Ｑ個の周波数ドメイン・リソース各々に対応するインデックスを更に示し；処理ユニットは、Ｑ個の周波数ドメイン・リソースに対応するインデックス及び端末デバイスの識別子に基づいて、ページング・メッセージをモニタリングするために使用される周波数ドメイン・リソースを決定し、端末デバイスの識別子とページング・メッセージをモニタリングするために使用される周波数ドメイン・リソースに対応するインデックスとは、事前に設定された関係を充足する。
【０２３８】
オプションとして、端末デバイスの識別子とページング・メッセージをモニタリングするために使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために使用される周波数ドメイン・リソースに対応するインデックスであり、Ｐは、１つのページング・サイクルにおけるページング・オケージョンの量に対する、端末デバイスの識別子の比率である、或いはＰは端末デバイスの識別子が反転された後に得られる値である。
【０２３９】
オプションとして、周波数ドメイン設定情報は、Ｑ個の周波数ドメイン・リソース各々のキャリアと、Ｑ個の周波数ドメイン・リソース各々の帯域幅とを含む。
【０２４０】
オプションとして、周波数ドメイン設定情報は、Ｑ個の周波数ドメイン・リソース各々の制御リソース・セット、Ｑ個の周波数ドメイン・リソース各々に対応するサーチ・スペース、Ｑ個の周波数ドメイン・リソース各々と物理セル識別子ＰＣＩとの間の対応関係のうちの少なくとも１つを更に含み；処理ユニットは、周波数ドメイン・リソースの制御リソース・セット、周波数ドメイン・リソースのサーチ・スペース、及び周波数ドメイン・リソースに対応するＰＣＩのうちの少なくとも１つに基づいて、ページング・オケージョンにおけるページング・メッセージを、ページング・メッセージをモニタリングするために使用される周波数ドメイン・リソース上でモニタリングするように構成されている。
【０２４１】
通信装置は、本願の実施形態において、図９に示されるページング・メッセージ・モニタリング方法における端末デバイスによって実行されるステップを実現するように構成されてもよいことが理解されるべきである。関連する機能については、前述の説明を参照されたい。詳細はここで再度説明しない。
【０２４２】
この実施形態における通信装置が端末デバイスである場合には、図１８に示されるデバイスを参照されたい。デバイスは、プロセッサ１８０１、アプリケーション・プロセッサ、メモリ、ユーザー・インターフェース、及び幾つかの他の構成要素（図示されていない電源などのデバイスを含む）を含む。図１８において、プロセッサ１８０１は、処理ユニットであってもよく、対応する機能を完了する。図中の無線トランシーバ１８０３は、トランシーバ・ユニットであってもよく、アンテナを使用することによって、対応する機能を完了する。図に示された構成要素は単なる例であり、この実施形態を完成させるために必須の構成要素ではないことが理解されるであろう。
【０２４３】
この実施形態における通信装置が端末デバイスである場合は、図１９に示されるデバイスを参照されたい。一例において、デバイスは図１８におけるプロセッサの機能に類似する機能を実装することが可能である。図１９において、デバイスは、プロセッサ、データ送信プロセッサ、及びデータ受信プロセッサを含む。図１９において、プロセッサ１９０１は、処理ユニットであってもよく、対応する機能を完了する。トランシーバ・ユニットは、図１９におけるデータ送信プロセッサ１９０３及びデータ受信プロセッサ１９０５を含む。図はチャネル・エンコーダ及びチャネル・デコーダを示しているが、これらのモジュールは単なる例であり、この実施形態での限定を構成するものではないことを理解することができる。
【０２４４】
図２０は、この実施形態における別の形態の通信装置を示す。処理装置２０００は、変調サブシステム、中央処理サブシステム、及びペリフェラル・サブシステムなどのモジュールを含む。この実施形態における通信装置は、処理装置２０００における変調サブシステムとして使用されてもよい。具体的には、変調サブシステムは、プロセッサ２００３及びインターフェース２００４を含んでもよい。プロセッサ２００３は、処理ユニットの機能を完了し、インターフェース２００４は、トランシーバ・ユニットの機能を完了する。別の変形例において、変調サブシステムは、メモリ２００６と、プロセッサ２００３と、メモリに格納され且つプロセッサ上で動作することが可能なプログラムとを含む。プロセッサがプログラムを実行すると、図９に示すページング・メッセージ・モニタリング方法において端末デバイスにより実行されるステップが実現される。メモリ２００６は、不揮発性メモリであってもよいし、或いは揮発性メモリであってもよいことに留意されたい。メモリ２００６は、変調サブシステム内に配置されてもよいし、或いはメモリ２００６がプロセッサ２００３に接続されることが可能であることを条件として、処理装置２０００内に配置されてもよい。
【０２４５】
この実施形態の別の形態では、コンピュータ読み取り可能な記憶媒体が提供される。コンピュータ読み取り可能な記憶媒体は命令を記憶し：命令が実行されると、本願の実施形態におけるページング・メッセージ・モニタリング方法が実現される。
【０２４６】
通信装置がチップ装置又は回路である場合、装置はトランシーバ・ユニット及び処理ユニットを含む可能性がある。トランシーバ・ユニットは、入／出力回路及び／又は通信インターフェースであってもよい。処理ユニットは、集積プロセッサ、マイクロプロセッサ、又は集積回路である。
【０２４７】
同一の概念に基づいて、本願の実施形態は通信装置を提供する。通信装置は、図９に示すページング・メッセージ・モニタリング方法におけるネットワーク・デバイスの機能を実現する。通信装置は、ネットワーク・デバイスであってもよいし、或いは同様な機能を実装するハードウェアであってもよい。図２１に示されるように、本願のこの実施形態における通信装置２１００は、処理ユニット２１０１及びトランシーバ・ユニット２１０２を含む。トランシーバ・ユニット２１０１は、周波数ドメイン設定情報を生成するように構成されており、周波数ドメイン設定情報はＱ個の周波数ドメイン・リソースを示し、Ｑは１以上の正の整数であり；トランシーバ・ユニット２１０２は、周波数ドメイン設定情報を端末デバイスに送信するように構成されている。
【０２４８】
オプションとして、周波数ドメイン設定情報は、Ｑ個の周波数ドメイン・リソース各々に対応するインデックスを更に示し；端末デバイスの識別子とページング・メッセージをモニタリングするために使用される周波数ドメイン・リソースに対応するインデックスとは、事前に設定された関係を充足する。
【０２４９】
オプションとして、端末デバイスの識別子とページング・メッセージをモニタリングするために端末デバイスにより使用される周波数ドメイン・リソースに対応するインデックスとは：
ｉｎｄｅｘ＝Ｐ  ｍｏｄ  Ｑ；又は  ｉｎｄｅｘ＝Ｐ  ｍｏｄ  （Ｑ＋１）
を充足し、ｉｎｄｅｘは、ページング・メッセージをモニタリングするために使用される周波数ドメイン・リソースに関連するインデックスであり、Ｐは、１つのページング・サイクルにおけるページング・オケージョンの量に対する、端末デバイスの識別子の比率である、或いはＰは端末デバイスの識別子が反転された後に得られる値である。
【０２５０】
オプションとして、周波数ドメイン・リソース設定情報は、Ｑ個の周波数ドメイン・リソース各々のキャリアと、Ｑ個の周波数ドメイン・リソース各々の帯域幅とを含む。
【０２５１】
オプションとして、周波数ドメイン設定情報は、Ｑ個の周波数ドメイン・リソース各々の制御リソース・セット、Ｑ個の周波数ドメイン・リソース各々に対応するサーチ・スペース、Ｑ個の周波数ドメイン・リソース各々と物理セル識別子ＰＣＩとの間の対応関係のうちの少なくとも１つを更に含む。
【０２５２】
この実施形態における通信装置がネットワーク・デバイスである場合は、図２２に示されるデバイスを参照されたい。デバイスは、プロセッサ２２０１、アプリケーション・プロセッサ、メモリ、ユーザー・インターフェース、及び幾つかの他の構成要素（図示されていない電源などのデバイスを含む）を含む。図２２において、プロセッサ２２０１は、処理ユニットであってもよく、対応する機能を完了する。図中の無線トランシーバ２３０３は、トランシーバ・ユニットであってもよく、アンテナを使用することによって、対応する機能を完了する。図に示された構成要素は単なる例であり、この実施形態を完成させるために必須の構成要素ではないことが理解されるであろう。
【０２５３】
この実施形態における通信装置がネットワーク・デバイスである場合には、図２３に示されるデバイスを参照されたい。一例において、デバイスは、図２２におけるプロセッサの機能に類似する機能を実装することが可能である。図２３において、デバイスは、プロセッサ、データ送信プロセッサ、及びデータ受信プロセッサを含む。図２３において、プロセッサ１６０１は、処理ユニットであってもよく、対応する機能を完了する。図２３におけるデータ送信プロセッサ２３０３及びデータ受信プロセッサ２３０５は、トランシーバ・ユニットであってもよい。図はチャネル・エンコーダ及びチャネル・デコーダを示しているが、これらのモジュールは単なる例であり、この実施形態での限定を構成するものではないことを理解することができる。
【０２５４】
図２４は、この実施形態における別の形態の通信装置を示す。処理装置２４００は、変調サブシステム、中央処理サブシステム、及びペリフェラル・サブシステムなどのモジュールを含む。この実施形態における通信装置は、処理装置２４００における変調サブシステムとして使用されてもよい。具体的には、変調サブシステムは、プロセッサ２４０３及びインターフェース２４０４を含んでもよい。プロセッサ２４０３は、処理ユニットの機能を完了し、インターフェース２４０４は、トランシーバ・ユニットの機能を完了する。別の変形例において、変調サブシステムは、メモリ２４０６と、プロセッサ２４０３と、メモリに格納され且つプロセッサ上で動作することが可能なプログラムとを含む。プロセッサがプログラムを実行すると、図９に示すページング・メッセージ・モニタリング方法が実現される。メモリ２４０６は、不揮発性メモリであってもよいし、或いは揮発性メモリであってもよいことに留意されたい。メモリ２４０６は、変調サブシステム内に配置されてもよいし、或いはメモリ２４０６がプロセッサ２４０３に接続されることが可能であることを条件として、処理装置２４００内に配置されてもよい。
【０２５５】
この実施形態の別の形態では、コンピュータ読み取り可能な記憶媒体が提供される。コンピュータ読み取り可能な記憶媒体は命令を記憶し：命令が実行されると、図９に示されるページング・メッセージ・モニタリング方法においてネットワーク・デバイスより実行されるステップが実現される。
【０２５６】
本願の実施形態は通信装置を更に提供する。通信装置は図２に示されるページング・メッセージ・モニタリング方法において端末デバイスによって実行されるステップを実行することが可能である。通信装置は、端末であってもよいし、或いは同様な機能を実装するハードウェアであってもよい。
【０２５７】
通信装置は少なくとも１つのプロセッサを含む。プロセッサはメモリに結合され、プロセッサは、メモリ内の命令を読み込み、命令に従って、図２に示すページング・メッセージ・モニタリング方法において端末デバイスによって実行されるステップを実行するように構成されている。
【０２５８】
本願の実施形態は通信装置を更に提供する。通信装置は図２に示されるページング・メッセージ・モニタリング方法においてネットワーク・デバイスによって実行されるステップを実行することが可能である。通信装置は、ネットワーク・デバイスであってもよいし、或いは同様な機能を実装するハードウェアであってもよい。
【０２５９】
通信装置は少なくとも１つのプロセッサを含む。プロセッサはメモリに結合され、プロセッサは、メモリ内の命令を読み込み、命令に従って、図２に示すページング・メッセージ・モニタリング方法においてネットワーク・デバイスによって実行されるステップを実行するように構成されている。
【０２６０】
本願の実施形態は通信装置を更に提供する。通信装置は図９に示されるページング・メッセージ・モニタリング方法において端末デバイスによって実行されるステップを実行することが可能である。通信装置は、端末であってもよいし、或いは同様な機能を実装するハードウェアであってもよい。
【０２６１】
通信装置は少なくとも１つのプロセッサを含む。プロセッサはメモリに結合され、プロセッサは、メモリ内の命令を読み込み、命令に従って、図９に示すページング・メッセージ・モニタリング方法において端末デバイスによって実行されるステップを実行するように構成されている。
【０２６２】
本願の実施形態は通信装置を更に提供する。通信装置は図９に示されるページング・メッセージ・モニタリング方法においてネットワーク・デバイスによって実行されるステップを実行することが可能である。通信装置は、ネットワーク・デバイスであってもよいし、或いは同様な機能を実装するハードウェアであってもよい。
【０２６３】
通信装置は少なくとも１つのプロセッサを含む。プロセッサはメモリに結合され、プロセッサは、メモリ内の命令を読み込み、命令に従って、図９に示すページング・メッセージ・モニタリング方法においてネットワーク・デバイスによって実行されるステップを実行するように構成されている。
【０２６４】
前述の実施形態におけるメモリは、プロセッサに統合されてもよいし、或いはプロセッサから独立していてもよいことに留意されたい。それはこの実施形態で限定されない。
【０２６５】
前述の実施形態におけるプロセッサは、汎用プロセッサ、デジタル信号プロセッサ（ｄｉｇｉｔａｌ  ｓｉｇｎａｌ  ｐｒｏｃｅｓｓｏｒ，ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）、フィールド・プログラマブル・ゲート・アレイ（ｆｉｅｌｄ  ｐｒｏｇｒａｍｍａｂｌｅ  ｇａｔｅ  ａｒｒａｙ，ＦＰＧＡ）又は他のプログラマブル論理デバイス、個別ゲート又はトランジスタ論理デバイス、又は個別ハードウェア・コンポーネントであってもよい。それは、本発明の実施形態において開示される方法、ステップ、及び論理ブロック図を実装又は実行することができる。汎用プロセッサは、マイクロプロセッサであってもよいし、或いはプロセッサは任意の従来のプロセッサ等であってもよい。本発明の実施形態を参照しながら開示される方法のステップは、ハードウェア復号化プロセッサを使用することにより直接的に実行され達成されてもよいし、或いはハードウェアと復号化プロセッサ内のソフトウェア・モジュールとの組み合わせを使用することにより実行され達成されてもよい。ソフトウェア・モジュールは、ランダム・アクセス・メモリ（ｒａｎｄｏｍ  ａｃｃｅｓｓ  ｍｅｍｏｒｙ，ＲＡＭ）、フラッシュ・メモリ、リード・オンリー・メモリ（ｒｅａｄ−ｏｎｌｙ  ｍｅｍｏｒｙ，ＲＯＭ）、プログラマブル・リード・オンリー・メモリ、電気的に消去可能なプログラマブル・メモリ、レジスタ等のような、当該技術分野における成熟した記憶媒体内に配置されてもよい。記憶媒体はメモリに配置され、プロセッサはメモリ内の命令を読み込み、プロセッサのハードウェアとの組み合わせにおいて前述の方法のステップを完了する。
【０２６６】
当業者は、本明細書において開示された実施形態で説明された実施例との組み合わせにおいて、ユニット及びアルゴリズム・ステップは、電子ハードウェア又はコンピュータ・ソフトウェアと電子ハードウェアとの組み合わせによって実現されてもよいことを認識するであろう。機能がハードウェア又はソフトウェアによって実行されるかどうかは、特定のアプリケーション及び技術的ソリューションの設計制約条件に依存する。当業者は、特定のアプリケーション各々に対して異なる方法を使用することにより、説明した機能を実現することができる。
【０２６７】
便宜的かつ簡潔な説明のために、前述のシステム、装置、及びユニットの詳細な動作プロセスについては、前述の方法の実施形態における対応するプロセスを参照すべきこと、詳細はここで再び説明されないことは、当業者により明確に理解されるであろう。
【０２６８】
本願で提供される幾つかの実施形態において、開示されるシステム、装置、及び方法は、他の方法で実現されてもよいことが理解されるべきである。例えば、説明される装置の実施形態は単なる一例である。例えば、ユニットへの区分は、単なる論理的な機能分割であり、実際の実装では他の区分であってもよい。例えば、複数のユニット又は構成要素は、他の装置に組み合わせられ又は統合されてもよいし、或いは幾つかの特徴は無視され或いは実行されなくてもよい。更に、表示又は説明された相互結合、直接結合、又は通信接続は、幾つかのインターフェースを使用することによって実現されてもよい。装置又はユニット間の間接的なカップリング又は通信接続は、電子的な、機械的な、又は他の形態で実現されてもよい。
【０２６９】
別個のパーツとして記載されているユニットは、物理的に分離されていてもいなくてもよいし、ユニットとして表示されているパーツは、物理的なユニットであってもなくてもよいし、一カ所に配置されていてもよいし、或いは複数のネットワーク・ユニットに分散されていてもよい。ユニットの一部又は全部は、実施形態のソリューションの目的を達成するために、実際の条件に基づいて選択されてもよい。
【０２７０】
更に、本願の実施態様における機能ユニットは、１つの処理ユニットに統合されてもよいし、各ユニットが物理的に単独で存在してもよいし、２つ以上のユニットが１つのユニットに統合されてもよい。
【０２７１】
機能がソフトウェア機能ユニットの形態で実装され、独立した製品として販売され使用される場合、機能はコンピュータ読み取り可能な記憶媒体に記憶されてもよい。このような理解に基づいて、本質的に本願の技術的ソリューションは、先行技術に対して貢献している部分は、又は技術的ソリューションの全部又は一部は、ソフトウェア・プロダクトの形態で実現される可能性がある。コンピュータ・ソフトウェア・プロダクトは、記憶媒体に記憶され、コンピュータ・デバイス（パーソナル・コンピュータ、サーバー、ネットワーク・デバイスなどであってもよい）又はプロセッサ（ｐｒｏｃｅｓｓｏｒ）に、本願の実施形態で説明される方法のステップの全部又は一部を実行するように指示するための１つ以上の命令を含む。前述の記憶媒体は、ＵＳＢフラッシュ・ドライブ、リムーバブル・ハード・ディスク、ＲＯＭ、ＲＡＭ、磁気ディスク、又は光ディスクのようなプログラム・コードを記憶することが可能な任意の媒体を含む。
【０２７２】
前述の説明は、本願の単なる特定の実施形態に過ぎず、本願の保護範囲を限定するようには意図されていない。本願で開示された技術範囲内で、当業者により容易に把握される如何なる変形又は置換も、本願の保護範囲内に該当するものとする。従って、本願の保護範囲は特許請求の範囲の保護範囲に従うものとする。
【図１】
2021518719.tif 000004
【図２】
2021518719.tif 000005
【図３ａ】
2021518719.tif 000006
【図３ｂ】
2021518719.tif 000007
【図４】
2021518719.tif 000008
【図５ａ】
2021518719.tif 000009
【図５ｂ】
2021518719.tif 000010
【図６】
2021518719.tif 000011
【図７】
2021518719.tif 000012
【図８】
2021518719.tif 000013
【図９】
2021518719.tif 000014
【図１０】
2021518719.tif 000015
【図１１】
2021518719.tif 000016
【図１２】
2021518719.tif 000017
【図１３】
2021518719.tif 000018
【図１４】
2021518719.tif 000019
【図１５】
2021518719.tif 000020
【図１６】
2021518719.tif 000021
【図１７】
2021518719.tif 000022
【図１８】
2021518719.tif 000023
【図１９】
2021518719.tif 000024
【図２０】
2021518719.tif 000025
【図２１】
2021518719.tif 000026
【図２２】
2021518719.tif 000027
【図２３】
2021518719.tif 000028
【図２４】
2021518719.tif 000029
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
ページング・メッセージをモニタリングする方法であって：
ネットワーク・デバイスからページング・オケージョン設定情報を受信するステップであって、前記ページング・オケージョン設定情報はページング・オケージョンにおけるＮ個の時間ドメイン・リソースを示し、Ｎは１以上の正の整数である、ステップ；及び
前記ネットワーク・デバイスからのページング・メッセージを前記Ｎ個の時間ドメイン・リソースに基づいてモニタリングするステップ；
を含み、前記ページング・オケージョン設定情報は、第２時間ドメイン位置に対する第１時間ドメイン位置のオフセットを示す時間ドメイン位置オフセット情報を含み、前記第１時間ドメイン位置は前記Ｎ個の時間ドメイン・リソースで最初にランクしている時間ドメイン・リソースの開始位置であり、前記第２時間ドメイン位置はページング・フレームの開始位置である、方法。
【請求項２】
前記ページング・オケージョン設定情報は、以下の情報：
前記時間ドメイン・リソースの持続時間；又は
２つの隣接する時間ドメイン・リソースの間のインターバルの持続時間；
のうちの少なくとも１つを更に含む、請求項１に記載の方法。
【請求項３】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項１又は２に記載の方法。
【請求項４】
前記方法は更に：
前記ネットワーク・デバイスとの通信に使用される同期信号ブロックの量Ｍを決定するステップであって、Ｍは１以上の正の整数である、ステップ；
を含み、前記Ｎ個の時間ドメイン・リソースはＭ個の時間ユニットに対応し、前記Ｍ個の同期信号ブロックの各々は前記Ｍ個の時間ユニットの１つに対応し；
前記ネットワーク・デバイスからのページング・メッセージを前記Ｎ個の時間ドメイン・リソースに基づいてモニタリングする前記ステップは：
前記ネットワーク・デバイスからの前記ページング・メッセージを、前記Ｍ個の同期信号ブロックにおける少なくとも１つの同期信号ブロックの各々に対応する時間ユニットでモニタリングするステップ；
を含む、請求項１〜３のうちの何れか１項に記載の方法。
【請求項５】
前記ネットワーク・デバイスとの通信に使用される同期信号ブロックの量Ｍを決定する前記ステップは：
前記ネットワーク・デバイスとの通信に使用される同期信号ブロックの前記量Ｍを、前記ネットワーク・デバイスから実際に送信される同期信号ブロックの量に基づいて決定するステップ；
を含む、請求項４に記載の方法。
【請求項６】
前記方法は更に：
前記ネットワーク・デバイスから同期信号ブロック設定情報を受信するステップであって、前記同期信号ブロック設定情報は前記ネットワーク・デバイスとの通信に使用される同期信号ブロックの前記量を示す、或いは前記同期信号ブロック設定情報は同期信号ブロックにおいて前記ページング・メッセージをモニタリングする持続時間を示す、ステップ；
を含み、前記ネットワーク・デバイスとの通信に使用される同期信号ブロックの量Ｍを決定する前記ステップは：
前記ネットワーク・デバイスとの通信に使用される同期信号ブロックの前記量Ｍを、前記同期信号ブロック設定情報に基づいて決定するステップ；
を含む、請求項４に記載の方法。
【請求項７】
前記方法は更に：
前記Ｍ個の同期信号ブロックの各々に対応する信号受信品質に基づいて、前記Ｍ個の同期信号ブロックにおける前記少なくとも１つの同期信号ブロックを決定するステップ；
を含む、請求項４〜６のうちの何れか１項に記載の方法。
【請求項８】
前記Ｍ個の同期信号ブロックは異なる時間ユニットに対応している；及び／又は
前記Ｍ個の同期信号ブロック各々において前記ページング・メッセージをモニタリングする持続時間は同じである；
請求項４〜７のうちの何れか１項に記載の方法。
【請求項９】
指示情報を送信する方法であって：
ページング・オケージョン設定情報をネットワーク・デバイスにより生成するステップであって、前記ページング・オケージョン設定情報はページング・オケージョンにおけるＮ個の時間ドメイン・リソースを示し、Ｎは１以上の正の整数である、ステップ；及び
前記ネットワーク・デバイスにより、前記ページング・オケージョン設定情報を端末デバイスに送信するステップであって、前記ページング・オケージョン設定情報は前記Ｎ個の時間ドメイン・リソースを示す、ステップ；
を含み、前記ページング・オケージョン設定情報は、第２時間ドメイン位置に対する第１時間ドメイン位置のオフセットを示す時間ドメイン位置オフセット情報を含み、前記第１時間ドメイン位置はＮ個の時間ドメイン・リソースで最初にランクしている時間ドメイン・リソースの開始位置であり、前記第２時間ドメイン位置はページング・フレームの開始位置である、方法。
【請求項１０】
前記ページング・オケージョン設定情報は、以下の情報：
前記時間ドメイン・リソースの持続時間；又は
２つの隣接する時間ドメイン・リソースの間のインターバルの持続時間；
のうちの少なくとも１つを更に含む、請求項９に記載の方法。
【請求項１１】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項９又は１０に記載の方法。
【請求項１２】
前記方法は更に：
同期信号ブロック設定情報を前記端末デバイスへ前記ネットワーク・デバイスにより送信するステップであって、前記同期信号ブロック設定情報は前記ネットワーク・デバイスとの通信に使用される同期信号ブロックの量を示す、或いは前記同期信号ブロック設定情報は同期信号ブロックにおいてページング・メッセージをモニタリングする持続時間を示す、ステップ；
を含む、請求項９〜１１のうちの何れか１項に記載の方法。
【請求項１３】
トランシーバ・ユニットと処理ユニットとを含む通信装置であって：
前記トランシーバ・ユニットは、ネットワーク・デバイスからページング・オケージョン設定情報を受信するように構成されており、前記ページング・オケージョン設定情報はページング・オケージョンにおけるＮ個の時間ドメイン・リソースを示し、Ｎは１以上の正の整数であり；及び
前記処理ユニットは、前記ネットワーク・デバイスからのページング・メッセージを前記Ｎ個の時間ドメイン・リソースに基づいてモニタリングするように構成されており、
前記ページング・オケージョン設定情報は、第２時間ドメイン位置に対する第１時間ドメイン位置のオフセットを示す時間ドメイン位置オフセット情報を含み、前記第１時間ドメイン位置は前記Ｎ個の時間ドメイン・リソースで最初にランクしている時間ドメイン・リソースの開始位置であり、前記第２時間ドメイン位置はページング・フレームの開始位置である、通信装置。
【請求項１４】
前記ページング・オケージョン設定情報は、以下の情報：
前記時間ドメイン・リソースの持続時間；又は
２つの隣接する時間ドメイン・リソースの間のインターバルの持続時間；
のうちの少なくとも１つを更に含む、請求項１３に記載の通信装置。
【請求項１５】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項１３又は１４に記載の通信装置。
【請求項１６】
前記処理ユニットは更に：
前記ネットワーク・デバイスとの通信に使用される同期信号ブロックの量Ｍを決定するように構成されており、前記Ｎ個の時間ドメイン・リソースはＭ個の時間ユニットに対応し、Ｍは１以上の正の整数であり、前記Ｍ個の同期信号ブロックの各々は前記Ｍ個の時間ユニットの１つに対応し；及び
前記処理ユニットは、前記ネットワーク・デバイスからのページング・メッセージを前記Ｎ個の時間ドメイン・リソースに基づいてモニタリングするように構成されることは、具体的には：
前記処理ユニットは、前記ネットワーク・デバイスからの前記ページング・メッセージを、前記Ｍ個の同期信号ブロックにおける少なくとも１つのビームの各々に対応する時間ユニットでモニタリングするように構成されることを含む、
請求項１３〜１５のうちの何れか１項に記載の通信装置。
【請求項１７】
前記処理ユニットは、前記ネットワーク・デバイスとの通信に使用される同期信号ブロックの量Ｍを決定するように構成されることは、具体的には：
前記処理ユニットは、前記ネットワーク・デバイスとの通信に使用される同期信号ブロックの前記量Ｍを、前記ネットワーク・デバイスから実際に使用される同期信号ブロックの量に基づいて決定するように構成されることを含む、
請求項１６に記載の通信装置。
【請求項１８】
前記トランシーバ・ユニットは更に：
前記ネットワーク・デバイスから同期信号ブロック設定情報を受信するように構成されており、前記同期信号ブロック設定情報は前記ネットワーク・デバイスとの通信に使用される同期信号ブロックの前記量を示し、或いは前記同期信号ブロック設定情報は同期信号ブロックにおいて前記ページング・メッセージをモニタリングする持続時間を示し；
前記処理ユニットは、前記ネットワーク・デバイスとの通信に使用される同期信号ブロックの量Ｍを決定するように構成されることは、具体的には：
前記処理ユニットは、前記ネットワーク・デバイスとの通信に使用される同期信号ブロックの前記量Ｍを、前記同期信号ブロック設定情報に基づいて決定するように構成されることを含む、
請求項１６に記載の通信装置。
【請求項１９】
前記処理ユニットは更に：
前記Ｍ個の同期信号ブロックの各々に対応する信号受信品質に基づいて、前記Ｍ個の同期信号ブロックにおける前記少なくとも１つの同期信号ブロックを決定するように構成されている、
請求項１６〜１８のうちの何れか１項に記載の通信装置。
【請求項２０】
前記Ｍ個の同期信号ブロックは異なる時間ユニットに対応している；及び／又は
前記Ｍ個の同期信号ブロック各々において前記ページング・メッセージをモニタリングする持続時間は同じである；
請求項１６〜１９のうちの何れか１項に記載の通信装置。
【請求項２１】
処理ユニットとトランシーバ・ユニットとを含む通信装置であって：
前記処理ユニットは、ページング・オケージョン設定情報を生成するように構成されており、前記ページング・オケージョン設定情報はページング・オケージョンにおけるＮ個の時間ドメイン・リソースを示し、Ｎは１以上の正の整数であり；及び
前記トランシーバ・ユニットは、前記ページング・オケージョン設定情報を端末デバイスに送信するように構成されており、前記ページング・オケージョン設定情報は前記Ｎ個の時間ドメイン・リソースを示し、
前記ページング・オケージョン設定情報は、第２時間ドメイン位置に対する第１時間ドメイン位置のオフセットを示す時間ドメイン位置オフセット情報を含み、前記第１時間ドメイン位置はＮ個の時間ドメイン・リソースで最初にランクしている時間ドメイン・リソースの開始位置であり、前記第２時間ドメイン位置はページング・フレームの開始位置である、通信装置。
【請求項２２】
前記ページング・オケージョン設定情報は、以下の情報：
前記時間ドメイン・リソースの持続時間；又は
２つの隣接する時間ドメイン・リソースの間のインターバルの持続時間；
のうちの少なくとも１つを更に含む、請求項２１に記載の通信装置。
【請求項２３】
前記時間ドメイン位置オフセット情報は第１オフセット情報と第２オフセット情報とを含み；
前記第１オフセット情報は前記第２時間ドメイン位置に対する前記ページング・オケージョンの開始位置のオフセットを示し；
前記第２オフセット情報は前記ページング・オケージョンの前記開始位置に対する前記第１時間ドメイン位置のオフセットを示す；
請求項２１又は２２に記載の通信装置。
【請求項２４】
前記トランシーバ・ユニットは更に：
同期信号ブロック設定情報を前記端末デバイスへ送信するように構成されており、前記同期信号ブロック設定情報は前記通信装置との通信に使用される同期信号ブロックの量を示す、或いは前記同期信号ブロック設定情報は同期信号ブロックにおいてページング・メッセージをモニタリングする持続時間を示す、
請求項２１〜２３のうちの何れか１項に記載の通信装置。
【請求項２５】
コンピュータ読み取り可能な記憶媒体であって、前記コンピュータ読み取り可能な記憶媒体はコンピュータ・プログラムを格納し、前記プログラムがプロセッサにより実行されると、請求項１〜８のうちの何れか１項に記載の前記方法が実行される、記憶媒体。
【請求項２６】
コンピュータ読み取り可能な記憶媒体であって、前記コンピュータ読み取り可能な記憶媒体はコンピュータ・プログラムを格納し、前記プログラムがプロセッサにより実行されると、請求項９〜１２のうちの何れか１項に記載の前記方法が実行される、記憶媒体。
【請求項２７】
メモリと、プロセッサと、前記メモリに格納され且つ前記プロセッサ上で動作することが可能なプログラムとを含む通信装置であって、前記プロセッサが前記プログラムを実行すると、請求項１〜８のうちの何れか１項に記載の前記方法が実行される、通信装置。
【請求項２８】
メモリと、プロセッサと、前記メモリに格納され且つ前記プロセッサ上で動作することが可能なプログラムとを含む通信装置であって、前記プロセッサが前記プログラムを実行すると、請求項９〜１２のうちの何れか１項に記載の前記方法が実行される、通信装置。
【請求項２９】
請求項１３〜２０のうちの何れか１項に記載の通信装置と、請求項２１〜２４のうちの何れか１項に記載の通信装置と、を含む通信システム。
【手続補正２】
【補正対象書類名】明細書
【補正対象項目名】０００３
【補正方法】変更
【補正の内容】
【０００３】
背景
ロング・ターム・エボリューション（ｌｏｎｇ  ｔｅｒｍ  ｅｖｏｌｕｔｉｏｎ，ＬＴＥ）において、端末デバイスは、端末デバイスがページングされているかどうか、システム・メッセージが変化しているかどうか、地震・津波警報システム（ｅａｒｔｈｑｕａｋｅ  ａｎｄ  ｔｓｕｎａｍｉ  ｗａｒｎｉｎｇ  ｓｙｓｔｅｍ，ＥＴＷＳ）の警報指示があるかどうか等を、ページング・メッセージをモニタリングすることにより決定する。
【手続補正３】
【補正対象書類名】明細書
【補正対象項目名】００３７
【補正方法】変更
【補正の内容】
【００３７】
可能な設計において、周波数ドメイン設定情報は、Ｑ個の周波数ドメイン・リソース各々のキャリアとＱ個の周波数ドメイン・リソース各々の帯域幅とを含む。
【手続補正４】
【補正対象書類名】明細書
【補正対象項目名】００６１
【補正方法】変更
【補正の内容】
【００６１】
可能な設計において、周波数ドメイン設定情報は、Ｑ個の周波数ドメイン・リソース各々のキャリアとＱ個の周波数ドメイン・リソース各々の帯域幅とを含む。
【手続補正５】
【補正対象書類名】明細書
【補正対象項目名】０２１３
【補正方法】変更
【補正の内容】
【０２１３】
可能な設計において、周波数ドメイン設定情報は、Ｑ個の周波数ドメイン・リソース各々のキャリアとＱ個の周波数ドメイン・リソース各々の帯域幅とを含む。
【手続補正６】
【補正対象書類名】明細書
【補正対象項目名】０２５０
【補正方法】変更
【補正の内容】
【０２５０】
オプションとして、周波数ドメイン設定情報は、Ｑ個の周波数ドメイン・リソース各々のキャリアと、Ｑ個の周波数ドメイン・リソース各々の帯域幅とを含む。
【国際調査報告】
2021518719.tif 000030
2021518719.tif 000031
2021518719.tif 000032
2021518719.tif 000033